(57)【要約】  ユーザ装置と下りリンクにおいて共有チャネルを用いて通信を行い、前記共有チャネルを受信するユーザ装置の識別情報、前記共有チャネルの送信フォーマットを通知する制御チャネルの送信電力を制御する基地局装置に、ユーザ装置から報告される下りリンクの無線品質情報と、前記制御チャネルの通信品質により決定されるオフセット値とに基づいて、前記制御チャネルの送信電力を制御する送信電力制御手段を備えることにより達成される。
2008105310.tif 000002
【特許請求の範囲】
【請求項１】
ユーザ装置と下りリンクにおいて共有チャネルを用いて通信を行い、前記共有チャネルを受信するユーザ装置の識別情報、前記共有チャネルの送信フォーマットを通知する制御チャネルの送信電力を制御する基地局装置であって：
ユーザ装置から報告される下りリンクの無線品質情報と、前記制御チャネルの通信品質により決定されるオフセット値とに基づいて、前記制御チャネルの送信電力を制御する送信電力制御手段；
を備えることを特徴とする基地局装置。
【請求項２】
請求項１に記載の基地局装置において：
前記送信電力制御手段は、前記制御チャネルの通信品質として、前記制御チャネルのブロック誤り率を使用し、前記制御チャネルのブロック誤り率が目標値になるように前記オフセットの値を制御することを特徴とする基地局装置。
【請求項３】
請求項２に記載の基地局装置において：
上りリンクにおいて、前記制御チャネルに対応する共有チャネルの送達確認情報を受信する受信手段；
を備え、
前記送信電力制御手段は、前記送達確認情報の受信結果が肯定応答または否定応答である場合に、前記オフセットの値を下げる制御を行い、前記送達確認情報の受信結果が無送信である場合に、前記オフセットの値を上げる制御を行うことを特徴とする基地局装置。
【請求項４】
請求項２に記載の基地局装置において：
前記目標値は、下りリンクの共有チャネルの伝送速度、変調方式、送信フォーマット、符号化率、ＭＣＳ(Modulation  and  Coding  Scheme)のレベル及びペイロードのサイズ、ユーザ装置のカテゴリ(UE category)の少なくとも１つに基づいて決定されることを特徴とする基地局装置。
【請求項５】
請求項２に記載の基地局装置において：
前記目標値は、前記制御チャネルの送信フォーマット、符号化率、ＭＣＳ(Modulation  and  Coding  Scheme)のレベル及び物理チャネルのサイズの少なくとも１つに基づいて決定されることを特徴とする基地局装置。
【請求項６】
ユーザ装置と上りリンクにおいて共有チャネルを用いて通信を行い、前記共有チャネルのための制御チャネルの送信電力を制御する基地局装置であって：
ユーザ装置から報告される下りリンクの無線品質情報と、前記制御チャネルの通信品質により決定されるオフセット値とに基づいて、前記制御チャネルの送信電力を制御する送信電力制御手段；
を備えることを特徴とする基地局装置。
【請求項７】
請求項６記載の基地局装置において：
前記送信電力制御手段は、前記制御チャネルの通信品質として、前記制御チャネルのブロック誤り率を使用し、前記制御チャネルのブロック誤り率が目標値になるように前記オフセットの値を制御することを特徴とする基地局装置。
【請求項８】
請求項７に記載の基地局装置において：
前記制御チャネルに対応する共有チャネルの無線品質を測定する測定手段；
を備え、
前記送信電力制御手段は、上記無線品質が所定の閾値以下の場合に、前記オフセットの値を上げる制御を行い、前記無線品質が所定の閾値よりも大きい場合に前記オフセットの値を下げる制御を行うことを特徴とする基地局装置。
【請求項９】
請求項７に記載の基地局装置において：
前記目標値は、上りリンクの共有チャネルの伝送速度、変調方式、送信フォーマット、符号化率、ＭＣＳ(Modulation  and  Coding  Scheme)のレベル及びペイロードのサイズ、ユーザ装置のカテゴリ(UE category)の少なくとも１つに基づいて決定されることを特徴とする基地局装置。
【請求項１０】
請求項７に記載の基地局装置において：
前記目標値は、前記制御チャネルの送信フォーマット、符号化率、ＭＣＳ(Modulation  and  Coding  Scheme)のレベル及び物理チャネルのサイズの少なくとも１つに基づいて決定されることを特徴とする基地局装置。
【請求項１１】
ユーザ装置と、前記ユーザ装置と下りリンクの共有チャネルを用いて通信を行う基地局装置とを具備する移動通信システムにおける通信制御方法であって：
前記共有チャネルを受信するユーザ装置の識別情報、前記共有チャネルの送信フォーマットを通知する制御チャネルの送信電力を制御する場合に、
ユーザ装置から報告される下りリンクの無線品質情報を取得する第１ステップ；
前記制御チャネルに対応する共有チャネルの送達確認情報に基づいてオフセット値を制御する第２ステップ；
前記下りリンクの無線品質情報と、前記オフセット値とに基づいて、前記制御チャネルの送信電力を決定する第３ステップ；
を備えることを特徴とする通信制御方法。
【請求項１２】
ユーザ装置と、前記ユーザ装置と上りリンクの共有チャネルを用いて通信を行う基地局装置とを具備する移動通信システムにおける通信制御方法であって：
前記共有チャネルを送信するユーザ装置の識別情報、前記共有チャネルの送信フォーマットを通知する制御チャネルの送信電力を制御する場合に、
ユーザ装置から報告される下りリンクの無線品質情報を取得する第１ステップ；
前記制御チャネルに対応する共有チャネルの無線品質に基づいてオフセット値を制御する第２ステップ；
前記下りリンクの無線品質情報と、前記オフセット値とに基づいて、前記制御チャネルの送信電力を決定する第３ステップ；
を備えることを特徴とする通信制御方法。
【発明の詳細な説明】
【技術分野】
【０００１】
本発明は、下りリンクにおいて直交周波数分割多重ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）を適用する移動通信システムに関し、特に基地局装置に関する。
【背景技術】
【０００２】
Ｗ−ＣＤＭＡやＨＳＤＰＡの後継となる通信方式、すなわちロングタームエボリューション（ＬＴＥ：  Ｌｏｎｇ  Ｔｅｒｍ  Ｅｖｏｌｕｔｉｏｎ）が、Ｗ−ＣＤＭＡの標準化団体３ＧＰＰにより検討され、無線アクセス方式として、下りリンクについてはＯＦＤＭ、上りリンクについてはＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が検討されている（例えば、非特許文献１参照）。【０００３】
ＯＦＤＭは、周波数帯域を複数の狭い周波数帯域（サブキャリア）に分割し、各周波数帯上にデータを載せて伝送を行う方式であり、サブキャリアを周波数上に、一部重なりあいながらも互いに干渉することなく密に並べることで、高速伝送を実現し、周波数の利用効率を上げることができる。【０００４】
ＳＣ−ＦＤＭＡは、周波数帯域を分割し、複数の端末間で異なる周波数帯域を用いて伝送することで、端末間の干渉を低減することができる伝送方式である。ＳＣ−ＦＤＭＡでは、送信電力の変動が小さくなる特徴を持つことから、端末の低消費電力化及び広いカバレッジを実現できる。【０００５】
ＬＴＥでは、上りリンク、下りリンクともに１つないし２つ以上の物理チャネルを複数の移動局（ユーザ装置）で共有して通信を行うシステムである。上記複数の移動局で共有されるチャネルは、一般に共有チャネルと呼ばれ、ＬＴＥにおいては、上りリンクにおいてはＰｈｙｓｉｃａｌ  Ｕｐｌｉｎｋ  Ｓｈａｒｅｄ  Ｃｈａｎｎｅｌ  （ＰＵＳＣＨ）であり、下りリンクにおいてはＰｈｙｓｉｃａｌ  Ｄｏｗｎｌｉｎｋ  Ｓｈａｒｅｄ  Ｃｈａｎｎｅｌ（ＰＤＳＣＨ）である。また、上記ＰＵＳＣＨおよびＰＤＳＣＨにマッピングされるトランスポートチャネルは、それぞれ、Ｕｐｌｉｎｋ−Ｓｈａｒｅｄ  Ｃｈａｎｎｅｌ（ＵＬ−ＳＣＨ）およびＤｏｗｎｌｉｎｋ−Ｓｈａｒｅｄ  Ｃｈａｎｎｅｌ（ＤＬ−ＳＣＨ）である。【０００６】
そして、上述したような共有チャネルを用いた通信システムにおいては、サブフレーム毎に、どの移動局に対して上記共有チャネルを割り当てるかのシグナリングする必要があり、上記シグナリングのために用いられる制御チャネルは、ＬＴＥでは、Ｐｈｙｓｉｃａｌ Ｄｏｗｎｌｉｎｋ Ｃｏｎｔｒｏｌ Ｃｈａｎｎｅｌ (ＰＤＣＣＨ)、または、Ｄｏｗｎｌｉｎｋ  Ｌ１／Ｌ２  Ｃｏｎｔｒｏｌ  Ｃｈａｎｎｅｌ（ＤＬ  Ｌ１／Ｌ２  Ｃｏｎｔｒｏｌ  Ｃｈａｎｎｅｌ）と呼ばれる。上記ＰＤＣＣＨの情報には、例えば、ＤＬ  Ｌ１／Ｌ２  Ｃｏｎｔｒｏｌ  Ｃｈａｎｎｅｌ  Ｆｏｒｍａｔ  Ｉｎｄｉｃａｔｏｒ(またはPhysical Control Format Indicator Channel (PCFICH))、ＤＬ  Ｓｃｈｅｄｕｌｉｎｇ  Ｉｎｆｏｒｍａｔｉｏｎ、Ａｃｋｎｏｗｌｅｄｇｅｍｅｎｔ  ｉｎｆｏｒｍａｔｉｏｎ（ＵＬ  ＡＣＫ／ＮＡＣＫ）、Ｕｐｌｉｎｋ  Ｓｃｈｅｄｕｌｉｎｇ  Ｇｒａｎｔ、Ｏｖｅｒｌｏａｄ  Ｉｎｄｉｃａｔｏｒ、Ｔｒａｎｓｍｉｓｓｉｏｎ  Ｐｏｗｅｒ  Ｃｏｎｔｒｏｌ  Ｃｏｍｍａｎｄ  Ｂｉｔ（ＴＰＣ  ｂｉｔ）が含まれる（非特許文献２）。【０００７】
上述したＤＬ  L1/Ｌ2  Ｃｏｎｔｒｏｌ  Ｆｏｒｍａｔ  Ｉｎｄｉｃａｔｏｒは、Ｐｈｙｓｉｃａｌ Ｃｏｎｔｒｏｌ Ｆｏｒｍａｔ  Ｉｎｄｉｃａｔｏｒ  Ｃｈａｎｎｅｌ (ＰＣＦＩＣＨ)とも呼ばれ、また、上記ＵＬ  ＡＣＫ/ＮＡＣＫは、Ｐｈｙｓｉｃａｌ  Ｈｙｂｒｉｄ  ＡＲＱ  Ｉｎｄｉｃａｔｏｒ  Ｃｈａｎｎｅｌ (ＰＨＩＣＨ)とも呼ばれる。上記ＰＣＦＩＣＨやＰＨＩＣＨは、上記ＰＤＣＣＨに含まれるのではなく、上記ＰＤＣＣＨとは並列の関係になる、異なる物理チャネルとして定義されてもよい。【０００８】
また、上記ＤＬ  Ｓｃｈｅｄｕｌｉｎｇ  Ｉｎｆｏｒｍａｔｉｏｎには、例えば、下りリンクのリソースブロック（Ｒｅｓｏｕｒｃｅ  Ｂｌｏｃｋ）の割り当て情報、ユーザ装置（ＵＥ）のＩＤ、ストリームの数、プリコーディングベクトル（Ｐｒｅｃｏｄｉｎｇ  Ｖｅｃｔｏｒ）に関する情報、データサイズ、変調方式、ＨＡＲＱに関する情報が含まれる。上記ＤＬ  Ｓｃｈｅｄｕｌｉｎｇ  Ｉｎｆｏｒｍａｔｉｏｎは、ＤＬ  Ａｓｓｉｇｎｍｅｎｔ  ＩｎｆｏｒｍａｔｉｏｎやＤＬ  Ｓｃｈｅｄｕｌｉｎｇ  Ｇｒａｎｔと呼ばれてもよい。また、上記ＵＬ  Ｓｃｈｅｄｕｌｉｎｇ  Ｇｒａｎｔには、例えば、上りリンクのＲｅｓｏｕｒｃｅ  Ｂｌｏｃｋの割り当て情報、ユーザ装置（ＵＥ）のＩＤ、データサイズ、変調方式、上りリンクの送信電力情報、Ｄｅｍｏｄｕｌａｔｉｏｎ  Ｒｅｆｅｒｅｎｃｅ  Ｓｉｇｎａｌの情報が含まれる。【０００９】
上述したＰＤＣＣＨは、１サブフレーム内の先頭のＬシンボル（Ｌ＝１、２、３）を用いて送信される（非特許文献３）。そして、上記先頭のＬシンボルのＰＤＣＣＨの中に、上述したＰＤＣＣＨの各情報、すなわち、ＤＬ  Ｌ１／Ｌ２  Ｃｏｎｔｒｏｌ  Ｃｈａｎｎｅｌ  Ｆｏｒｍａｔ  Ｉｎｄｉｃａｔｏｒ(またはPhysical Control Format Indicator Channel (PCFICH))、Ｄｏｗｎｌｉｎｋ  Ｓｃｈｅｄｕｌｉｎｇ  Ｉｎｆｏｒｍａｔｉｏｎ、Ａｃｋｎｏｗｌｅｄｇｅｍｅｎｔ  ｉｎｆｏｒｍａｔｉｏｎ（ＵＬ  ＡＣＫ／ＮＡＣＫ）、Ｕｐｌｉｎｋ  Ｓｃｈｅｄｕｌｉｎｇ  Ｇｒａｎｔ、Ｏｖｅｒｌｏａｄ  Ｉｎｄｉｃａｔｏｒ、Ｔｒａｎｓｍｉｓｓｉｏｎ  Ｐｏｗｅｒ  Ｃｏｎｔｒｏｌ  Ｃｏｍｍａｎｄ  Ｂｉｔ（ＴＰＣ  ｂｉｔ）が多重される。ここで、上記ＰＤＣＣＨの各情報を効率良く多重するために、上記ＰＤＣＣＨの各情報には、送信電力制御が適用される。
【非特許文献１】３ＧＰＰ  ＴＲ  ２５．８１４  （Ｖ７．０．０），  "Ｐｈｙｓｉｃａｌ  Ｌａｙｅｒ  Ａｓｐｅｃｔｓ  ｆｏｒ  Ｅｖｏｌｖｅｄ  ＵＴＲＡ，"  Ｊｕｎｅ  ２００６
【非特許文献２】Ｒ１−０７０１０３，  Ｄｏｗｎｌｉｎｋ  Ｌ１／Ｌ２  Ｃｏｎｔｒｏｌ  Ｓｉｇｎａｌｉｎｇ  Ｃｈａｎｎｅｌ  Ｓｔｒｕｃｔｕｒｅ：  Ｃｏｄｉｎｇ
【非特許文献３】３ＧＰＰ  ＴＳ  ３６．２１１  （ｖ  ０．３．１），  "Ｐｈｙｓｉｃａｌ  Ｃｈａｎｎｅｌｓ  ａｎｄ  Ｍｏｄｕｌａｔｉｏｎ，"  Ｆｅｂｒｕａｒｙ  ２００７
【発明の開示】
【発明が解決しようとする課題】
【００１０】
上述した、ＬＴＥにおける物理下りリンク制御チャネルＰＤＣＣＨにより送信される各情報、すなわち、ＤＬ  Ｌ１／Ｌ２  Ｃｏｎｔｒｏｌ  Ｃｈａｎｎｅｌ  Ｆｏｒｍａｔ  Ｉｎｄｉｃａｔｏｒ(またはPhysical Control Format Indicator Channel (PCFICH))、Ｄｏｗｎｌｉｎｋ  Ｓｃｈｅｄｕｌｉｎｇ  Ｉｎｆｏｒｍａｔｉｏｎ、Ａｃｋｎｏｗｌｅｄｇｅｍｅｎｔ  ｉｎｆｏｒｍａｔｉｏｎ（ＵＬ  ＡＣＫ／ＮＡＣＫ）、Ｕｐｌｉｎｋ  Ｓｃｈｅｄｕｌｉｎｇ  Ｇｒａｎｔ、Ｏｖｅｒｌｏａｄ  Ｉｎｄｉｃａｔｏｒ、Ｔｒａｎｓｍｉｓｓｉｏｎ  Ｐｏｗｅｒ  Ｃｏｎｔｒｏｌ  Ｃｏｍｍａｎｄ  Ｂｉｔ（ＴＰＣ  ｂｉｔ）には、送信電力制御が適用される。尚、Ｄｏｗｎｌｉｎｋ  Ｓｃｈｅｄｕｌｉｎｇ  Ｉｎｆｏｒｍａｔｉｏｎは、下りリンクにおける当該サブフレームにおいて共有チャネルを用いて通信を行うユーザ装置の識別情報や上記共有チャネルの送信フォーマットに関する情報であり、Ｕｐｌｉｎｋ  Ｓｃｈｅｄｕｌｉｎｇ  Ｇｒａｎｔは、下りリンクにおける当該サブフレームにおいて共有チャネルを用いて通信を行うユーザ装置の識別情報や上記共有チャネルの送信フォーマットに関する情報である。【００１１】
しかしながら、上述したＰＤＣＣＨにより送信される各情報の内、Ｄｏｗｎｌｉｎｋ  Ｓｃｈｅｄｕｌｉｎｇ  ＩｎｆｏｒｍａｔｉｏｎやＵｐｌｉｎｋ  Ｓｃｈｅｄｕｌｉｎｇ  Ｇｒａｎｔ、すなわち、当該サブフレームにおいて共有チャネルを用いて通信を行うユーザ装置の識別情報や上記共有チャネルの送信フォーマットに関する情報が誤った場合、上記共有チャネルの通信が行われなくなるため、通信品質が劣化する。例えば、上記送信電力制御により、当該サブフレームにおいて共有チャネルを用いて通信を行うユーザ装置の識別情報や上記共有チャネルの送信フォーマットに関する情報に割り当てられる送信電力を必要以上に小さい値に設定した場合、ユーザ装置は、当該サブフレームにおいて共有チャネルを用いて通信を行うユーザ装置の識別情報や上記共有チャネルの送信フォーマットに関する情報を正しく復号することができず、結果として、共有チャネルを用いた通信が行われない。【００１２】
言い換えれば、当該サブフレームにおいて共有チャネルを用いて通信を行うユーザ装置の識別情報や上記共有チャネルの送信フォーマットに関する情報の通信品質、例えば、誤り率を考慮して、前記送信電力制御を行う必要がある。【００１３】
そこで、本発明の目的は、サブフレームにおいて共有チャネルを用いて通信を行うユーザ装置の識別情報や上記共有チャネルの送信フォーマットに関する情報の送信電力制御を適切に行うことができる基地局装置及び通信制御方法を提供することにある。
【課題を解決するための手段】
【００１４】
上記課題を解決するため、本発明の基地局装置は、
ユーザ装置と下りリンクにおいて共有チャネルを用いて通信を行い、前記共有チャネルを受信するユーザ装置の識別情報、前記共有チャネルの送信フォーマットを通知する制御チャネルの送信電力を制御する基地局装置であって：
ユーザ装置から報告される下りリンクの無線品質情報と、前記制御チャネルの通信品質により決定されるオフセット値とに基づいて、前記制御チャネルの送信電力を制御する送信電力制御手段；
を備えることを特徴の１つとする。【００１５】
本発明の他の基地局装置は、
ユーザ装置と上りリンクにおいて共有チャネルを用いて通信を行い、前記共有チャネルのための制御チャネルの送信電力を制御する基地局装置であって：
ユーザ装置から報告される下りリンクの無線品質情報と、前記制御チャネルの通信品質により決定されるオフセット値とに基づいて、前記制御チャネルの送信電力を制御する送信電力制御手段；
を備えることを特徴１つとする。
【発明の効果】
【００１６】
本発明の実施例によれば、サブフレームにおいて共有チャネルを用いて通信を行うユーザ装置の識別情報や上記共有チャネルの送信フォーマットに関する情報の送信電力制御を適切に行うことができる基地局装置及び通信制御方法を実現できる。
【図面の簡単な説明】
【００１７】
【図１】本発明の一実施形態に係る無線通信システムの構成を示すブロック図である。
【図２】サブフレーム構成を示す説明図である。
【図３】ＯＦＤＭシンボル＃１及び＃２におけるサブキャリアマッピングの一例を示す説明図である。
【図４】本発明の一実施形態に係る基地局装置を示す部分ブロック図である。
【図５】本発明の一実施形態に係る基地局装置のベースバンド信号処理部を示すブロック図である。
【図６】下りリンクＬ１／Ｌ２シンボルと、その集合ＧＬ１Ｌ２との関係を示す説明図である。
【図７】制御チャネル用ブロックと、制御チャネル用ブロック番号を示す説明図である。
【図８】上りリンクの制御チャネルの構成を示す説明図である。
【図９】本発明の一実施形態に係る通信制御方法を示すフロー図である。
【図１０】本発明の一実施形態に係る通信制御方法を示すフロー図である。
【符号の説明】
【００１８】
５０  セル
１００１、１００２、１００３、１００ｎ  ユーザ装置
２００  基地局装置
２０２  送受信アンテナ
２０４  アンプ部
２０６  送受信部
２０８  ベースバンド信号処理部
２１０  呼処理部
２１２  伝送路インターフェース
２０８１  レイヤー１処理部
２０８２  ＭＡＣ処理部
２０８３  ＲＬＣ処理部
２０８４  ＤＬ送信電力決定部
３００  アクセスゲートウェイ装置
４００  コアネットワーク
【発明を実施するための最良の形態】
【００１９】
次に、本発明を実施するための最良の形態を、以下の実施例に基づき図面を参照しつつ説明する。
なお、実施例を説明するための全図において、同一機能を有するものは同一符号を用い、繰り返しの説明は省略する。【００２０】
本発明の実施例に係る基地局装置が適用される無線通信システムについて、図１を参照して説明する。【００２１】
無線通信システム１０００は、例えばＥｖｏｌｖｅｄ  ＵＴＲＡ  ａｎｄ  ＵＴＲＡＮ（別名：ＬＴＥ（Ｌｏｎｇ  Ｔｅｒｍ  Ｅｖｏｌｕｔｉｏｎ）、或いは、Ｓｕｐｅｒ  ３Ｇ）が適用されるシステムであり、基地局装置（ｅＮＢ：  ｅＮｏｄｅ  Ｂ）２００と複数のユーザ装置（ＵＥ：  Ｕｓｅｒ  Ｅｑｕｉｐｍｅｎｔ）１００ｎ（１００１、１００２、１００３、・・・１００ｎ、ｎはｎ>０の整数）とを備える。基地局装置２００は、上位局、例えばアクセスゲートウェイ装置３００と接続され、アクセスゲートウェイ装置３００は、コアネットワーク４００と接続される。ここで、ユーザ装置１００ｎはセル５０において基地局装置２００とＥｖｏｌｖｅｄ  ＵＴＲＡ  ａｎｄ  ＵＴＲＡＮにより通信を行う。【００２２】
各ユーザ装置（１００１、１００２、１００３、・・・１００ｎ）は、同一の構成、機能、状態を有するので、以下では特段の断りがない限りユーザ装置１００ｎとして説明を進める。説明の便宜上、基地局装置と無線通信するのはユーザ装置であるが、より一般的には移動端末も固定端末も含む。【００２３】
無線通信システム１０００では、無線アクセス方式として、下りリンクについてはＯＦＤＭ（直交周波数分割多元接続）が、上りリンクについてはＳＣ−ＦＤＭＡ（シングルキャリア−周波数分割多元接続）が適用される。上述したように、ＯＦＤＭは、周波数帯域を複数の狭い周波数帯域（サブキャリア）に分割し、各サブキャリアにデータをマッピングして通信を行うマルチキャリア伝送方式である。ＳＣ−ＦＤＭＡは、周波数帯域を端末毎に分割し、複数の端末が互いに異なる周波数帯域を用いることで、端末間の干渉を低減するシングルキャリア伝送方式である。【００２４】
ここで、Ｅｖｏｌｖｅｄ  ＵＴＲＡ  ａｎｄ  ＵＴＲＡＮにおける通信チャネルについて説明する。【００２５】
下りリンクについては、各ユーザ装置１００ｎで共有される物理下りリンク共有チャネル（ＰＤＳＣＨ：  Ｐｈｙｓｉｃａｌ  Ｄｏｗｎｌｉｎｋ  Ｓｈａｒｅｄ  Ｃｈａｎｎｅｌ）と、物理下りリンク制御チャネル(ＰＤＣＣＨ：  Ｐｈｙｓｉｃａｌ  Ｄｏｗｎｌｉｎｋｇ  Ｃｏｎｔｒｏｌ  Ｃｈａｎｎｅｌ)とが用いられる。物理下りリンク制御チャネルは下りＬ１／Ｌ２制御チャネルとも呼ばれる。上記物理下りリンク共有チャネルにより、ユーザデータ、すなわち、通常のデータ信号が伝送される。また、物理下りリンク制御チャネルにより、ダウンリンクＬ１／Ｌ２制御チャネルフォーマットインジケータ（ＤＬ  Ｌ１／Ｌ２  Ｃｏｎｔｒｏｌ  Ｃｈａｎｎｅｌ  Ｆｏｒｍａｔ  Ｉｎｄｉｃａｔｏｒ(または、物理制御フォーマットインジケータチャネル(Ｐｈｙｓｉｃａｌ  Ｃｏｎｔｒｏｌ  Ｆｏｒｍａｔ  Ｉｎｄｉｃａｔｏｒ  Ｃｈａｎｎｅｌ：  ＰＣＦＩＣＨ)）、ダウンリンクスケジューリング情報（ＤＬ  Ｓｃｈｅｄｕｌｉｎｇ  Ｉｎｆｏｒｍａｔｉｏｎ）、Ａｃｋｎｏｗｌｅｄｇｅｍｅｎｔ  ｉｎｆｏｒｍａｔｉｏｎ（ＵＬ  ＡＣＫ／ＮＡＣＫ）、アップリンクスケジューリンググラント（Ｕｐｌｉｎｋ  Ｓｃｈｅｄｕｌｉｎｇ  Ｇｒａｎｔ）、オーバロードインジケータ（Ｏｖｅｒｌｏａｄ  Ｉｎｄｉｃａｔｏｒ）、送信電力制御コマンドビット（Ｔｒａｎｓｍｉｓｓｉｏｎ  Ｐｏｗｅｒ  Ｃｏｎｔｒｏｌ  Ｃｏｍｍａｎｄ  Ｂｉｔ：  ＴＰＣ  ｂｉｔ）等が伝送される。尚、上記ＤＬ  Ｓｃｈｅｄｕｌｉｎｇ  Ｉｎｆｏｒｍａｔｉｏｎは、ＤＬ  Ａｓｓｉｇｎｍｅｎｔ  ＩｎｆｏｒｍａｔｉｏｎやＤＬ  Ｓｃｈｅｄｕｌｉｎｇ  Ｇｒａｎｔと呼ばれてもよい。【００２６】
また、上記ＵＬ  ＡＣＫ/ＮＡＣＫは、Ｐｈｙｓｉｃａｌ  Ｈｙｂｒｉｄ  ＡＲＱ  Ｉｎｄｉｃａｔｏｒ  Ｃｈａｎｎｅｌ (ＰＨＩＣＨ)と呼ばれてもよい。本実施例においては、上記ＰＣＦＩＣＨやＰＨＩＣＨ、送信電力制御コマンドビットは、上記ＰＤＣＣＨに含まれる情報要素として定義されているが、代わりに、上記ＰＤＣＣＨとは並列の関係になる、異なる物理チャネルとして定義されてもよい。【００２７】
ＤＬ  Ｓｃｈｅｄｕｌｉｎｇ  Ｉｎｆｏｒｍａｔｉｏｎには、例えば、物理下りリンク共有チャネルを用いて通信を行うユーザのＩＤや、そのユーザデータのトランスポートフォーマットの情報、すなわち、データサイズ、変調方式、ＨＡＲＱに関する情報や、下りリンクのリソースブロックの割り当て情報等が含まれる。また、Ｕｐｌｉｎｋ  Ｓｃｈｅｄｕｌｉｎｇ  Ｇｒａｎｔには、例えば、物理上りリンク共有チャネルを用いて通信を行うユーザのＩＤや、そのユーザデータのトランスポートフォーマットの情報、すなわち、データサイズ、変調方式に関する情報や、上りリンクのリソースブロックの割り当て情報、上りリンクの共有チャネルの送信電力に関する情報等が含まれる。ここで、上りリンクのリソースブロックとは、周波数リソースに相当し、リソースユニットとも呼ばれる。【００２８】
また、Ａｃｋｎｏｗｌｅｄｇｅｍｅｎｔ  ｉｎｆｏｒｍａｔｉｏｎ（ＵＬ  ＡＣＫ／ＮＡＣＫ）とは、上りリンクの共有チャネルに関する送達確認情報のことである。【００２９】
上りリンクについては、各ユーザ装置１００ｎで共有して使用される物理上りリンク共有チャネル（ＰＵＳＣＨ：  Ｐｈｙｓｉｃａｌ  Ｕｐｌｉｎｋ  Ｓｈａｒｅｄ  Ｃｈａｎｎｅｌ）と、ＬＴＥ用の上りリンク制御チャネルとが用いられる。ＬＴＥ用の上りリンク制御チャネルには、物理上りリンク共有チャネルと時間多重されるチャネルと、周波数多重されるチャネルの２種類がある。周波数多重されるチャネルは、物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）と呼ばれる。上記物理上りリンク共有チャネルにより、ユーザデータ、すなわち、通常のデータ信号が伝送される。また、ＬＴＥ用の上りリンク制御チャネルにより、下りリンクにおける共有物理チャネルのスケジューリング処理や適応変復調及び符号化処理（ＡＭＣＳ：  Ａｄａｐｔｉｖｅ  Ｍｏｄｕｌａｔｉｏｎ  ａｎｄ  Ｃｏｄｉｎｇ  Ｓｃｈｅｍｅ）に用いるための下りリンクの品質情報（ＣＱＩ：  Ｃｈａｎｎｅｌ  Ｑｕａｌｉｔｙ  Ｉｎｄｉｃａｔｏｒ）、及び、物理下りリンク共有チャネルの送達確認情報（Ａｃｋｎｏｗｌｅｄｇｅｍｅｎｔ  Ｉｎｆｏｒｍａｔｉｏｎ）が伝送される。送達確認情報の内容は、送信信号が適切に受信されたことを示す肯定応答(ＡＣＫ：  Ａｃｋｎｏｗｌｅｄｇｅｍｅｎｔ)又はそれが適切に受信されなかったことを示す否定応答(ＮＡＣＫ：  Ｎｅｇａｔｉｖｅ  Ａｃｋｎｏｗｌｅｄｇｅｍｅｎｔ)の何れかで表現される。【００３０】
ＬＴＥ用の上りリンク制御チャネルでは、ＣＱＩや送達確認情報に加えて、上りリンクの共有チャネルのリソース割り当てを要求するスケジューリング要求（Ｓｃｈｅｄｕｌｉｎｇ  Ｒｅｑｕｅｓｔ）や、パーシステントスケジューリング（Ｐｅｒｓｉｓｔｅｎｔ  Ｓｃｈｅｄｕｌｉｎｇ）におけるリリース要求（Ｒｅｌｅａｓｅ  Ｒｅｑｕｅｓｔ）等が送信されてもよい。ここで、上りリンクの共有チャネルのリソース割り当てとは、あるサブフレームの物理下りリンク制御チャネルを用いて、後続のサブフレームにおいて上りリンクの共有チャネルを用いて通信を行ってよいことを基地局装置がユーザ装置に通知することを意味する。【００３１】
下りリンク伝送では、図２に示すように、１サブフレームは、例えば１ｍｓであり、１サブフレームの中に１４個のＯＦＤＭシンボル（ＯＦＤＭ  ｓｙｍｂｏｌ）が存在する。図２において、時間軸方向の番号（＃１、＃２、＃３、・・・、＃１４）はＯＦＤＭシンボルを識別する番号を示し、周波数軸方向の番号（＃１、＃２、＃３、・・・、＃Ｍ−１、＃Ｍ、ＭはＭ>０の整数）はリソースブロック（Ｒｅｓｏｕｒｃｅ  Ｂｌｏｃｋ）を識別する番号を示す。【００３２】
１サブフレームの先頭のＭ個のＯＦＤＭシンボルには、上記物理下りリンク制御チャネルがマッピングされる。Ｍの値としては、１、２、３の３通りが設定される。図２においては、１サブフレームの先頭の２個のＯＦＤＭシンボル（Ｍ＝２）、すなわち、ＯＦＤＭシンボル＃１及び＃２に上記物理下りリンク制御チャネルがマッピングされている。そして、上記物理下りリンク制御チャネルがマッピングされるＯＦＤＭシンボル以外のＯＦＤＭシンボルにおいて、ユーザデータやＳＣＨ、ＢＣＨ、Ｐｅｒｓｉｓｔｅｎｔ  Ｓｃｈｅｄｕｌｉｎｇが適用されるデータ信号が送信される。【００３３】
また、周波数方向においては、Ｍ個のリソースブロックが定義される。ここで、１リソースブロックあたりの周波数帯域は、例えば１８０ｋＨｚであり、１リソースブロックの中に１２個のサブキャリアが存在する。また、リソースブロックの数Ｍは、システム帯域幅が５ＭＨｚの場合には２５であり、システム帯域幅が１０ＭＨｚの場合には５０であり、システム帯域幅が２０ＭＨｚの場合には１００である。【００３４】
図３に、図２に示すサブフレームの構成を持つ場合の、ＯＦＤＭシンボル＃１及び＃２におけるサブキャリアマッピングを示す。尚、同図において、１ＯＦＤＭシンボルのサブキャリアの数をＬ（Ｌは、Ｌ>０の整数）とし、周波数の小さい方から、サブキャリア＃１、＃２、・・・、＃Ｌと番号付けを行っている。システム帯域幅が５ＭＨｚの場合には、Ｌ＝３００であり、システム帯域幅が１０ＭＨｚの場合には、Ｌ＝６００であり、システム帯域幅が２０ＭＨｚの場合には、Ｌ＝１２００である。同図に示すように、ＯＦＤＭシンボル＃１のサブキャリアには、下りリンクリファレンスシグナル（ＤＬ  ＲＳ：  Ｄｏｗｎｌｉｎｋ  Ｒｅｆｅｒｅｎｃｅ  Ｓｉｇｎａｌ）と物理下りリンク制御チャネルがマッピングされる。また、ＯＦＤＭシンボル＃２には、物理下りリンク制御チャネルがマッピングされる。【００３５】
ＤＬ  ＲＳは、ＯＦＤＭシンボル＃１において、６個のサブキャリアに１個の割合で送信される。図においては、サブキャリア＃６×ｄ−５（但し、ｄ：１、２、…）にＤＬ  ＲＳがマッピングされている。また、上記ＤＬ  ＲＳがマッピングされているサブキャリア以外のサブキャリアに物理下りリンク制御チャネルがマッピングされる。図においては、上記物理下りリンク制御チャネルにより送信される情報の内、Ａｃｋｎｏｗｌｅｄｇｅｍｅｎｔ  ｉｎｆｏｒｍａｔｉｏｎ（ＵＬ  ＡＣＫ／ＮＡＣＫ）がマッピングされるサブキャリアの例を示した。図においては、サブキャリア＃３と、サブキャリア＃Ｌ−３にマッピングされている例を示している。Ａｃｋｎｏｗｌｅｇｅｍｅｎｔ  ｉｎｆｏｒｍａｔｉｏｎがマッピングされるサブキャリアの数は、上りリンクにおいて1サブフレームに多重されるユーザ装置の数の最大数、すなわち、1サブフレームにおいて上りリンクの共有チャネルを送信するユーザ装置の数の最大数により決定される。【００３６】
尚、物理下りリンク制御チャネルがマッピングされるＯＦＤＭシンボルの数が３の場合のＯＦＤＭシンボル＃３の構成は、図３におけるＯＦＤＭシンボル＃２の構成と基本的に同じである。【００３７】
次に、本発明の実施例に係る基地局装置２００について、図４を参照して説明する。【００３８】
本実施例に係る基地局装置２００は、送受信アンテナ２０２と、アンプ部２０４と、送受信部２０６と、ベースバンド信号処理部２０８と、呼処理部２１０と、伝送路インターフェース２１２とを備える。【００３９】
下りリンクにより基地局装置２００からユーザ装置１００ｎに送信されるパケットデータは、基地局装置２００の上位に位置する上位局、例えばアクセスゲートウェイ装置３００から伝送路インターフェース２１２を介してベースバンド信号処理部２０８に入力される。【００４０】
ベースバンド信号処理部２０８では、ＰＤＣＰレイヤの送信処理、パケットデータの分割・結合、ＲＬＣ（ｒａｄｉｏ  ｌｉｎｋ  ｃｏｎｔｒｏｌ）再送制御の送信処理などのＲＬＣ  ｌａｙｅｒの送信処理、ＭＡＣ再送制御、例えばＨＡＲＱ（Ｈｙｂｒｉｄ  Ａｕｔｏｍａｔｉｃ  Ｒｅｐｅａｔ  ｒｅＱｕｅｓｔ）の送信処理、スケジューリング、伝送フォーマット選択、チャネル符号化、逆高速フーリエ変換（ＩＦＦＴ：  Ｉｎｖｅｒｓｅ  Ｆａｓｔ  Ｆｏｕｒｉｅｒ  Ｔｒａｎｓｆｏｒｍ）処理が行われて、送受信部２０６に転送される。また、ベースバンド信号処理部２０８では、後述するように、サブフレーム毎に、リソースブロック（あるいはサブキャリア）およびＯＦＤＭシンボル毎に、下りリンクリファレンスシグナルや物理下りリンク制御チャネルやユーザデータ（トランスポートチャネルとしてはＤＬ−ＳＣＨ）、ＳＣＨ、ＢＣＨ、Ｐｅｒｓｉｓｔｅｎｔ  Ｓｃｈｅｄｕｌｉｎｇが適用されるデータ信号等に割り当てられる送信電力が決定される。【００４１】
送受信部２０６では、ベースバンド信号処理部２０８から出力されたベースバンド信号を無線周波数帯に変換する周波数変換処理が施され、その後、アンプ部２０４で増幅されて送受信アンテナ２０２より送信される。【００４２】
一方、上りリンクによりユーザ装置１００ｎから基地局装置２００に送信されるデータについては、送受信アンテナ２０２で受信された無線周波数信号がアンプ部２０４で増幅され、送受信部２０６で周波数変換されてベースバンド信号に変換され、ベースバンド信号処理部２０８に入力される。【００４３】
ベースバンド信号処理部２０８では、入力されたベースバンド信号に対して、ＦＦＴ処理、ＩＤＦＴ処理、誤り訂正復号、ＭＡＣ再送制御の受信処理、ＲＬＣレイヤーの受信処理、ＰＤＣＰレイヤーの受信処理等がなされ、伝送路インターフェース２１２を介してアクセスゲートウェイ装置３００に転送される。【００４４】
呼処理部２１０は、通信チャネルの設定や解放等の呼処理や、無線基地局２００の状態管理や、無線リソースの管理を行う。【００４５】
次に、ベースバンド信号処理部２０８の構成について、図５を参照して説明する。【００４６】
ベースバンド信号処理部２０８は、レイヤー１処理部２０８１と、選択手段としてのＭＡＣ（Ｍｅｄｉｕｍ  Ａｃｃｅｓｓ  Ｃｏｎｔｒｏｌ）処理部２０８２と、ＲＬＣ処理部２０８３と、送信電力制御手段としてのＤＬ送信電力決定部２０８４とを備える。【００４７】
ベースバンド信号処理部２０８におけるレイヤー１処理部２０８１とＭＡＣ処理部２０８２とＲＬＣ処理部２０８３とＤＬ送信電力決定部２０８４と呼処理部２１０とは、互いに接続されている。【００４８】
レイヤー１処理部２０８１では、下りリンクで送信されるデータのチャネル符号化やＩＦＦＴ処理、上りリンクで送信されるデータのチャネル復号化やＩＤＦＴ処理、ＦＦＴ処理などが行われる。
レイヤー１処理部２０８１は、物理下りリンク共有チャネルを用いて通信を行うユーザ装置のＩＤや、そのユーザデータのトランスポートフォーマットの情報、すなわち、Ｄｏｗｎｌｉｎｋ  Ｓｃｈｅｄｕｌｉｎｇ  Ｉｎｆｏｒｍａｔｉｏｎ、及び、物理上りリンク共有チャネルを用いて通信を行うユーザのＩＤや、そのユーザデータのトランスポートフォーマットの情報、すなわち、Ｕｐｌｉｎｋ  Ｓｃｈｅｄｕｌｉｎｇ  ＧｒａｎｔをＭＡＣ処理部２０８２から受け取る。また、レイヤー１処理部２０８１は、上記物理下りリンク共有チャネルを用いて通信を行うユーザのＩＤや、そのユーザデータのトランスポートフォーマットの情報、すなわち、Ｄｏｗｎｌｉｎｋ  Ｓｃｈｅｄｕｌｉｎｇ  Ｉｎｆｏｒｍａｔｉｏｎ、及び、物理上りリンク共有チャネルを用いて通信を行うユーザのＩＤや、そのユーザデータのトランスポートフォーマットの情報、すなわち、Ｕｐｌｉｎｋ  Ｓｃｈｅｄｕｌｉｎｇ  Ｇｒａｎｔに対して、チャネル符号化やＩＦＦＴ処理等の送信処理を行う。上記物理下りリンク共有チャネルを用いて通信を行うユーザのＩＤや、そのユーザデータのトランスポートフォーマットの情報、すなわち、Ｄｏｗｎｌｉｎｋ  Ｓｃｈｅｄｕｌｉｎｇ  Ｉｎｆｏｒｍａｔｉｏｎ、及び、物理上りリンク共有チャネルを用いて通信を行うユーザのＩＤや、そのユーザデータのトランスポートフォーマットの情報、すなわち、Ｕｐｌｉｎｋ  Ｓｃｈｅｄｕｌｉｎｇ  Ｇｒａｎｔは、下りリンクの制御チャネルである物理下りリンク制御チャネルにマッピングされる。【００４９】
また、レイヤー１処理部２０８１では、ＤＬ送信電力決定部２０８４から通知された送信電力情報に基づいて、下りリンクリファレンスシグナルや物理下りリンク制御チャネルやユーザデータ、ＳＣＨ、ＢＣＨ、Ｐｅｒｓｉｓｔｅｎｔ  Ｓｃｈｅｄｕｌｉｎｇが適用されるデータ信号等がマッピングされるサブキャリアの送信電力を設定する。【００５０】
また、レイヤー１処理部２０８１は、上りリンクのベースバンド信号に含まれる、ユーザ装置１００ｎからのＣＱＩの復号を行い、上記ＣＱＩの復号結果をＭＡＣ処理部２０８２とＤＬ送信電力決定部２０８４に通知する。【００５１】
また、レイヤー１処理部２０８１は、上りリンクのベースバンド信号に含まれる、ユーザ装置１００ｎからの、下りリンクの共有チャネルに関する送達確認情報を受信し、上記送達確認情報に関して3値判定(ＡＣＫ/ＮＡＣＫ/ＤＴＸ判定)を行う。上記3値判定(ＡＣＫ/ＮＡＣＫ/ＤＴＸ判定)の結果を、ＤＬ送信電力決定部２０８４に通知する。【００５２】
さらに、レイヤー１処理部２０８１は、上りリンクのベースバンド信号に含まれる、ユーザ装置１００ｎからの、上りリンクの共有チャネルを受信し、上記上りリンクの共有チャネルに関して、実際に上りリンクの共有チャネルが送信されたか否かを判定するＰｏｗｅｒ判定を行う。そして、上記Ｐｏｗｅｒ判定の結果を、ＤＬ送信電力決定部２０８４に通知する。【００５３】
ＭＡＣ処理部２０８２は、下りリンクのユーザデータのＭＡＣ再送制御、例えばＨＡＲＱ（Ｈｙｂｒｉｄ  Ａｕｔｏｍａｔｉｃ  Ｒｅｐｅａｔ  ｒｅＱｕｅｓｔ）の送信処理や、スケジューリング、伝送フォーマットの選択、周波数リソースの割り当て等を行う。ここで、スケジューリングとは、当該サブフレームにおいて共有チャネルを用いた通信を行うユーザ装置を選別（選択）する処理のことを指し、例えば、そのアルゴリズムとして、ラウンドロビンやプロポーショナルフェアネス（Ｐｒｏｐｏｒｔｉｏｎａｌ  Ｆａｉｒｎｅｓｓ）、ＭＡＣ  Ｃ／Ｉが存在する。上記プロポーショナルフェアネス（Ｐｒｏｐｏｒｔｉｏｎａｌ  Ｆａｉｒｎｅｓｓ）やＭＡＣ  Ｃ／Ｉにおいては、例えば、各ユーザ装置に関する評価メトリックを算出し、上記評価メトリックが大きいユーザ装置を、当該サブフレームにおいて共有チャネルを用いて通信を行うユーザ装置として選別する処理が行われる。ここで、上記評価メトリックは、無線リソースを割り当てる優先順位を示す優先度に相当する。言い換えれば、上記プロポーショナルフェアネス（Ｐｒｏｐｏｒｔｉｏｎａｌ  Ｆａｉｒｎｅｓｓ）やＭＡＣ  Ｃ／Ｉにおいては、無線リソースを割り当てる優先順位を示す優先度にしたがって、無線リソースを割り当てるユーザ装置が選択される。また、伝送フォーマットの選択とは、スケジューリングにおいて選別されたユーザ装置１００ｎに送信する下りリンクの共有チャネルに関する変調方式や符号化率、データサイズ等のトランスポートフォーマットの情報を決定することを指す。上記変調方式、符号化率、データサイズの決定は、例えば、ユーザ装置から上りリンクにおいて報告されるＣＱＩに基づいて行われる。さらに、上記周波数リソースの割り当てとは、スケジューリングにおいて選別されたユーザ装置１００ｎに送信する下りリンクの共有チャネルの送信に用いられるリソースブロックを決定する処理のことを指す。上記リソースブロックの決定は、例えば、ユーザ装置１００ｎから上りリンクにおいて報告されるＣＱＩに基づいて行われる。尚、上記ＣＱＩは、レイヤー１処理部２０８１より通知される。そして、ＭＡＣ処理部２０８２は、上述したスケジューリング処理、伝送フォーマットの選択処理、周波数リソースの割り当て処理により決定される、物理下りリンク共有チャネルを用いて通信を行うユーザ装置のＩＤや、そのユーザデータのトランスポートフォーマットの情報、すなわち、Ｄｏｗｎｌｉｎｋ  Ｓｃｈｅｄｕｌｉｎｇ  Ｉｎｆｏｒｍａｔｉｏｎをレイヤー１処理部２０８１とＤＬ送信電力決定部２０８４に通知する。【００５４】
また、ＭＡＣ処理部２０８２は、上りリンクのユーザデータのＭＡＣ再送制御の受信処理や、スケジューリング処理、伝送フォーマットの選択処理、周波数リソースの割り当て処理等を行う。ここで、スケジューリング処理とは、所定のサブフレームにおいて共有チャネルを用いてユーザデータの送信を行うユーザ装置を選別する処理のことを指す。また、伝送フォーマットの選択処理とは、スケジューリングにおいて選別されたユーザ装置が送信するユーザデータに関する変調方式や符号化率、データサイズ等のトランスポートフォーマットの情報を決定する処理のことを指す。上記変調方式、符号化率、データサイズの決定は、例えば、ユーザ装置から上りリンクにおいて送信するサウンディング用リファレンス信号のＳＩＲや基地局装置とユーザ装置との間のパスロスに基づいて行われる。さらに、上記周波数リソースの割り当て処理とは、スケジューリングにおいて選別されたユーザ装置が送信するユーザデータの送信に用いられるリソースブロックを決定する処理のことを指す。上記リソースブロックの決定は、例えば、ユーザ装置から上りリンクにおいて送信するサウンディング用リファレンス信号のＳＩＲに基づいて行われる。そして、ＭＡＣ処理部２０８２は、上述したスケジューリング処理、伝送フォーマットの選択処理、周波数リソースの割り当て処理により決定される、物理上りリンク共有チャネルを用いて通信を行うユーザ装置のＩＤや、そのユーザデータのトランスポートフォーマットの情報、すなわち、Ｕｐｌｉｎｋ  Ｓｃｈｅｄｕｌｉｎｇ  Ｇｒａｎｔをレイヤー１処理部２０８１とＤＬ送信電力決定部２０８４に通知する。【００５５】
さらに、ＭＡＣ処理部２０８２は、ＤＬ送信電力決定部２０８４から通知された送信電力情報に基づいて、ユーザデータ（トランスポートチャネルとしてはＤＬ−ＳＣＨ）に割り当て可能なリソースブロックを決定してもよい。そして、ＭＡＣ処理部２０８２は、上記ユーザデータに割り当て可能なリソースブロックにおいて、上述したスケジューリングや伝送フォーマットの選択、周波数リソースの割り当てを行う。【００５６】
例えば、ＭＡＣ処理部２０８２は、ＤＬ送信電力決定部２０８４から、上記送信電力情報として、当該サブフレームにおけるＢＣＨの送信電力ＰＢＣＨと、当該サブフレームにおけるＳＣＨの送信電力ＰＳＣＨと、当該サブフレームにおけるＰｅｒｓｉｓｔｅｎｔ  Ｓｃｈｅｄｕｌｉｎｇが適用されるデータ信号の送信電力Ｐｄａｔａ，ＴＰＣと、ユーザデータ（トランスポートチャネルとしてはＤＬ−ＳＣＨ）の１サブキャリアあたりの送信電力Ｐｄａｔａ（ｕｎｉｔ）と、基地局装置２００の最大送信電力Ｐｔｏｔａｌを受け取る。そして、上記ＰＢＣＨと、ＰＳＣＨと、Ｐｄａｔａ，ＴＰＣと、Ｐｄａｔａ（ｕｎｉｔ）と、Ｐｔｏｔａｌとに基づいて、ユーザデータ（トランスポートチャネルとしてはＤＬ−ＳＣＨ）に割り当て可能なリソースブロックの数ＮｕｍＲＢ（ｄａｔａ）を算出してもよい。【００５７】
ＲＬＣ処理部２０８３では、下りリンクのパケットデータに関する、分割・結合、ＲＬＣ再送制御の送信処理等のＲＬＣレイヤーの送信処理や、上りリンクのデータに関する、分割・結合、ＲＬＣ再送制御の受信処理等のＲＬＣレイヤーの受信処理が行われる。また、ＲＬＣ処理部２０８３において、下りリンク及び上りリンクにおけるＰＤＣＰレイヤの送受信処理が行われてもよい。【００５８】
ＤＬ送信電力決定部２０８４は、下りリンクリファレンスシグナル（DL  RS）や物理下りリンク制御チャネルやユーザデータ、ＳＣＨ、ＢＣＨ、Ｐｅｒｓｉｓｔｅｎｔ  Ｓｃｈｅｄｕｌｉｎｇが適用されるデータ信号等の送信電力を決定し、上記決定した下りリンクリファレンスシグナルや物理下りリンク制御チャネルやユーザデータ（トランスポートチャネルとしてはＤＬ−ＳＣＨ）、ＳＣＨ、ＢＣＨ、Ｐｅｒｓｉｓｔｅｎｔ  Ｓｃｈｅｄｕｌｉｎｇが適用されるデータ信号の送信電力を、送信電力情報として、レイヤー１処理部２０８１やＭＡＣ処理部２０８２に通知する。ここで、下りリンクリファレンスシグナルやＳＣＨやＢＣＨの送信電力の値は、一般に固定値であり、上位レイヤーからシグナリングされた値や、基地局装置２００における内部パラメータとして設定されている値を参照して決定される。また、Ｐｅｒｓｉｓｔｅｎｔ  Ｓｃｈｅｄｕｌｉｎｇが適用されるデータ信号の送信電力は、例えば、当該ユーザ装置から報告されるＣＱＩの値に基づいて決定される。さらに、ユーザデータ（トランスポートチャネルとしてはＤＬ−ＳＣＨ）の１サブキャリアあたりの送信電力、すなわち、ＰＤＳＣＨの１サブキャリアあたりの送信電力は、例えば、システム帯域の全てのサブキャリアに均等に送信電力を割り当てた場合の１サブキャリアあたりの送信電力としてもよい。【００５９】
ＤＬ送信電力決定部２０８４において行われる物理下りリンク制御チャネルに割り当てられる送信電力の決定処理については後述する。この物理下りリンク制御チャネルは、ＤＬ  Ｌ１／Ｌ２  Ｃｏｎｔｒｏｌ  Ｃｈａｎｎｅｌとも呼ばれる。【００６０】
ＤＬ  ＲＳの送信電力制御(ＴＰＣ：  Ｔｒａｎｓｍｉｓｓｉｏｎ  Ｐｏｗｅｒ  Ｃｏｎｔｒｏｌ）について説明する。ＤＬ  ＲＳの送信電力は、外部入力インタフェース（ＩＦ）より予め設定される。ＤＬ  ＲＳの１  ｒｅｓｏｕｒｃｅ  ｅｌｅｍｅｎｔあたりの送信電力（絶対値）をＰＤＬＲＳとし、サブフレームの先頭のＯＦＤＭ  ｓｙｍｂｏｌにおけるＤＬ  ＲＳのｒｅｓｏｕｒｃｅ  ｅｌｅｍｅｎｔの数をｎＤＬＲＳと定義する。【００６１】
報知チャネル（ＢＣＨ：  Ｂｒｏａｄｃａｓｔ  ｃｈａｎｎｅｌ）のTPCについて説明する。報知チャネルの送信電力は、外部入力インタフェース（ＩＦ）より予め設定される。すなわち、上述したように固定値となる。【００６２】
ページングチャネル（ＰＣＨ：  ｐａｇｉｎｇ  ｃｈａｎｎｅｌ）のTPCについて説明する。ページングチャネルの送信電力はPDSCHの送信電力と同一とする。すなわち、ページングチャネルの送信電力は、システム帯域の全てのサブキャリアに均等に送信電力を割り当てた場合の１サブキャリアあたりの送信電力となるため、上述したように固定値となる。【００６３】
同期チャネル（ＳＣＨ：  Ｓｙｎｃｈｒｏｎｉｚａｔｉｏｎ  ｃｈａｎｎｅｌ）、すなわちＰ−ＳＣＨ（Ｐｒｉｍａｒｙ−ＳＣＨ）、Ｓ−ＳＣＨ（Ｓｅｃｏｎｄａｒｙ−ＳＣＨ）のTPCについて説明する。同期チャネルの送信電力は、外部入力インタフェース（ＩＦ）より設定される。すなわち、上述したように固定値となる。【００６４】
ランダムアクセスチャネル応答（ＲＡＣＨ  ｒｅｓｐｏｎｓｅ）のTPCについて説明する。ＲＡＣＨ  ｒｅｓｐｏｎｓｅは、ランダムアクセス手順におけるメッセージ２に相当する。ＲＡＣＨ  ｒｅｓｐｏｎｓｅの送信電力は、PDSCHの送信電力と同一とする。すなわち、ＲＡＣＨ  ｒｅｓｐｏｎｓｅの送信電力は、システム帯域の全てのサブキャリアに均等に送信電力を割り当てた場合の１サブキャリアあたりの送信電力となるため、上述したように固定値となる。【００６５】
次に、物理下りリンク制御チャネルのTPCについて説明する。以下、ＯＦＤＭシンボル（ＯＦＤＭ  ｓｙｍｂｏｌ）のインデックス（Index）をm(mは整数)とする。具体的には、サブフレームの先頭から、ｍ＝０，１，２，...と定義する。また、物理下りリンク制御チャネルに割り当てられるＯＦＤＭシンボルの数をＭとする。
物理下りリンク制御チャネルには、ダウンリンクＬ１／Ｌ２制御チャネルフォーマットインジケータ（ＤＬ  Ｌ１／Ｌ２  Ｃｏｎｔｒｏｌ  Ｃｈａｎｎｅｌ  Ｆｏｒｍａｔ  Ｉｎｄｉｃａｔｏｒ(またはPhysical Control Format Indicator Channel (PCFICH))、カテゴリー０情報とも呼ばれる）、ダウンリンクスケジューリング情報（ＤＬ  Ｓｃｈｅｄｕｌｉｎｇ  Ｉｎｆｏｒｍａｔｉｏｎ）、Ａｃｋｎｏｗｌｅｄｇｅｍｅｎｔ  ｉｎｆｏｒｍａｔｉｏｎ（ＵＬ  ＡＣＫ／ＮＡＣＫ）、アップリンクスケジューリンググラント（Ｕｐｌｉｎｋ  Ｓｃｈｅｄｕｌｉｎｇ  Ｇｒａｎｔ）、オーバロードインジケータ（Ｏｖｅｒｌｏａｄ  Ｉｎｄｉｃａｔｏｒ）、送信電力制御コマンドビット（Ｔｒａｎｓｍｉｓｓｉｏｎ  Ｐｏｗｅｒ  Ｃｏｎｔｒｏｌ  Ｃｏｍｍａｎｄ  Ｂｉｔ、ＴＰＣ  ｂｉｔ）等の情報がマッピングされる。【００６６】
ところで、ダウンリンクＬ１／Ｌ２制御チャネルフォーマットインジケータ(またはPhysical Control Format Indicator Channel (PCFICH)とも呼ばれる)は、物理下りリンク制御チャネルに割り当てられるＯＦＤＭシンボルの数（上述したＭの値）を指定する情報である。【００６７】
物理下りリンク制御チャネルに割り当てられるＯＦＤＭシンボルの数（上述したＭの値）は、同時多重ユーザ数及び多重するユーザの受信品質に依存する。典型的には物理下りリンク制御チャネルに割り当てられるＯＦＤＭシンボル数を十分に大きくしておく。しかし、同時多重ユーザ数が小さければ、物理下りリンク制御チャネルに割り当てられるＯＦＤＭシンボルの数は少なくなる。従って、サブフレーム毎に同時多重ユーザ数及び多重するユーザの受信品質が変化する場合には、十分大きく確保されている物理下りリンク制御チャネルに無駄が生じる場合がある。【００６８】
このような物理下りリンク制御チャネルの無駄を低減するため、物理下りリンク制御チャネルにマッピングされるダウンリンクＬ１／Ｌ２制御チャネルフォーマットインジケータ(またはPhysical Control Format Indicator Channel (PCFICH)とも呼ばれる)により、物理下りリンク制御チャネルに割り当てられるＯＦＤＭシンボルの数（上述したＭの値）が通知される。すなわち、サブフレーム毎に、物理下りリンク制御チャネルに割り当てられるＯＦＤＭシンボルの数（上述したＭの値）が適切に設定される。【００６９】
以下では、物理下りリンク制御チャネル内の各情報の送信電力制御方法、及び、上記物理下りリンク制御チャネルに割り当てられるＯＦＤＭシンボルの数（上述したＭの値）の決定方法を説明する。【００７０】
ＤＬ送信電力決定部２０８４は、物理下りリンク制御チャネルの送信電力を決定する場合に、上述したダウンリンクＬ１／Ｌ２制御チャネルフォーマットインジケータ(またはPhysical Control Format Indicator Channel (PCFICH)とも呼ばれる)の送信電力、オーバロード  インジケータ(Overload  indicator)の送信電力、Ａｃｋｎｏｗｌｅｄｇｅｍｅｎｔ  ｉｎｆｏｒｍａｔｉｏｎ（UL  ACK/NACK）の送信電力、送信電力制御情報（TPC  bit）の送信電力を決定する。また、ＤＬ送信電力決定部２０８４は、ダウンリンクスケジューリング情報（ＤＬ  Ｓｃｈｅｄｕｌｉｎｇ  Ｉｎｆｏｒｍａｔｉｏｎ）の送信電力、及び、アップリンクスケジューリンググラント（Ｕｐｌｉｎｋ  Ｓｃｈｅｄｕｌｉｎｇ  Ｇｒａｎｔ）の送信電力を決定するとともに、上記物理下りリンク制御チャネルに割り当てられるＯＦＤＭシンボルの数（上述したＭの値）を決定する。【００７１】
ここで、以下の説明で使用する用語の定義を示す。【００７２】
【表１】
2008105310.tif 000003
【００７３】
【表２】
2008105310.tif 000004
【００７４】
【表３】
2008105310.tif 000005
ダウンリンクＬ１／Ｌ２制御チャネルフォーマットインジケータ(またはPhysical Control Format Indicator Channel (PCFICH)とも呼ばれる)の送信電力は、外部入力インタフェース（ＩＦ）より設定される。ダウンリンクＬ１／Ｌ２制御チャネルフォーマットインジケータ(またはPhysical Control Format Indicator Channel (PCFICH)とも呼ばれる)の１  ｒｅｓｏｕｒｃｅ  ｅｌｅｍｅｎｔあたりの送信電力（絶対値）をPｃａｔ0とする。また、ダウンリンクＬ１／Ｌ２制御チャネルフォーマットインジケータ(またはPhysical Control Format Indicator Channel (PCFICH)とも呼ばれる)のｒｅｓｏｕｒｃｅ  ｅｌｅｍｅｎｔの数をｎｃａｔ0とする。【００７５】
オーバーロード  インジケータ（Ｏｖｅｒｌｏａｄ  ｉｎｄｉｃａｔｏｒ）の送信電力は、物理下りリンク制御チャネルに用いられるOFDMシンボル数Ｍを1と仮定した場合の送信電力として、外部インタフェース（ＩＦ）より設定される。Ｏｖｅｒｌｏａｄ  ｉｎｄｉｃａｔｏｒの１  ｒｅｓｏｕｒｃｅ  ｅｌｅｍｅｎｔあたりの送信電力（絶対値）をＰＯＬＩは、以下の式（１）のように算出される。ここで、Ｏｖｅｒｌｏａｄ  ｉｎｄｉｃａｔｏｒの１  ＯＦＤＭ  ｓｙｍｂｏｌあたりのｒｅｓｏｕｒｃｅ  ｅｌｅｍｅｎｔの数をｎＯＬＩとし、外部インタフェース（IF）より設定されるＯｖｅｒｌｏａｄ  ｉｎｄｉｃａｔｏｒの送信電力の絶対値をＰＯＬＩ（ＩＦ）とする。【００７６】
ＰＯＬＩ＝ＰＯＬＩ（ＩＦ）/Ｍ      （１）
式（１）において、Ｍで割り算を行う理由を以下に説明する。ＰＯＬＩ（ＩＦ）は、Ｍ＝１を仮定しているため、例えば、Ｍ＝２の場合には、ｍ＝０、１の両方のＯＦＤＭシンボルに、Ｏｖｅｒｌｏａｄ  ｉｎｄｉｃａｔｏｒがマッピングされる。この場合、当該サブフレームにおけるＯｖｅｒｌｏａｄ  ｉｎｄｉｃａｔｏｒのトータルの送信電力を一定に保つために、各ＯＦＤＭシンボルにおける各サブキャリア、すなわち、ｒｅｓｏｕｒｃｅ  ｅｌｅｍｅｎｔあたりの電力は、ＰＯＬＩ（ＩＦ）を２で割った値となる。Ｍ＝３の場合も同様である。【００７７】
Ａｃｋｎｏｗｌｅｄｇｅｍｅｎｔ  ｉｎｆｏｒｍａｔｉｏｎ（ＵＬ  ＡＣＫ／ＮＡＣＫ）の送信電力について説明する。Ａｃｋｎｏｗｌｅｄｇｅｍｅｎｔ  ｉｎｆｏｒｍａｔｉｏｎ（ＵＬ  ＡＣＫ／ＮＡＣＫ）の送信電力は，当該ＵＬ  ＡＣＫ／ＮＡＣＫの送信先であるユーザ装置から報告される、下りリンクのシステム帯域全体に関するCQI値ＣＱＩaverage,ULACK（l）に基づいて算出される。尚、上記下りリンクのシステム帯域全体に関するCQI値ＣＱＩaverage,ULACK（l）は、レイヤー１処理部２０８１より通知されるＣＱＩの情報に含まれる値である。物理下りリンク制御チャネルに用いられるOFDMシンボル数Ｍを1と仮定した場合の、ＵＬ  ＡＣＫ／ＮＡＣＫの１  ｒｅｓｏｕｒｃｅ  ｅｌｅｍｅｎｔあたりの送信電力（絶対値．単位：Ｗ）PACK,tmp(l)は、以下の式（２）に基づいて算出される。ここで、Ｉｎｄｅｘ  ｌは、UL-SCHの番号に１対１対応するＩｎｄｅｘである。ＵＬ  ＡＣＫ／ＮＡＣＫの番号と、ＵＬ−ＳＣＨの番号の対応関係は、例えば、非特許文献４に記載されている。【００７８】
【数１】
2008105310.tif 000006
式（２）において、PACK(max)はCQIが所定の値ＣＱＩaverage（min）のときのＵＬ  ＡＣＫ／ＮＡＣＫの１  ｒｅｓｏｕｒｃｅ  ｅｌｅｍｅｎｔあたりの送信電力（絶対値）であり、PACK(min)はＵＬ  ＡＣＫ／ＮＡＣＫの１  ｒｅｓｏｕｒｃｅ  ｅｌｅｍｅｎｔあたりの送信電力の最小値（絶対値）である。上記PACK(max)、ＣＱＩaverage（min）、PACK(min)は、外部インタフェース（ＩＦ）より設定される。【００７９】
また、ＵＬ  ＡＣＫ／ＮＡＣＫの１  ＯＦＤＭシンボルあたりのｒｅｓｏｕｒｃｅ  ｅｌｅｍｅｎｔの数をnACKとし、当該サブフレームにおいて実際に送信されるＵＬ  ＡＣＫ／ＮＡＣＫの数をLACKとする。上記ＵＬ  ＡＣＫ／ＮＡＣＫの数LACKは、上記ＵＬ  ＡＣＫ／ＮＡＣＫに対応するＵＬ−ＳＣＨが送信されるサブフレームにおける、ＵＬ−ＳＣＨを送信するユーザ装置の数、すなわち、ＵＬ−ＳＣＨの多重数に一致する値である。
最終的なＵＬ  ＡＣＫ／ＮＡＣＫの１  ｒｅｓｏｕｒｃｅ  ｅｌｅｍｅｎｔあたりの送信電力（絶対値、単位：W）PACK(ｌ)は，以下の式（３）に基づいて算出される。【００８０】
PACK(ｌ)＝PACK,tmp(l)/Ｍ      （３）
式（３）において、Ｍで割り算を行う理由は、式（１）の場合と同様である。【００８１】
ＴＰＣ  ｂｉｔの送信電力について説明する。ＴＰＣ  ｂｉｔの送信電力は、当該ＴＰＣ  ｂｉｔの送信先であるユーザ装置から報告される、下りリンクのシステム帯域幅全体に関するCQI値ＣＱＩaverage,ＴＰＣ（ｋ）に基づいて算出される。尚、上記下りリンクのシステム帯域全体に関するCQI値ＣＱＩaverage,ULACK（l）は、レイヤー１処理部２０８１より通知されるＣＱＩの情報に含まれる値である。物理下りリンク制御チャネルに用いられるOFDMシンボル数Ｍを1と仮定した場合の、ＴＰＣ  ｂｉｔの１  ｒｅｓｏｕｒｃｅ  ｅｌｅｍｅｎｔあたりの送信電力（絶対値．単位：W）PTPC,tmp(ｋ)は、以下の式（４）に基づいて算出される。ここで、Index  kは、ＴＰＣ  ｂｉｔのIndex(あるいは，当該サブフレームのNTPC前のサブフレームにおける上りリンクのＳｏｕｎｄｉｎｇ用のリファレンス信号の番号に１対１対応する番号)を示すIndexである。【００８２】
【数２】
2008105310.tif 000007
式（４）において、PTPC(max)はCQIが所定の値ＣＱＩaverage（min）のときのＴＰＣ  ｂｉｔの１  ｒｅｓｏｕｒｃｅ  ｅｌｅｍｅｎｔあたりの送信電力（絶対値）であり、PTPC(min)はＴＰＣ  ｂｉｔの１  ｒｅｓｏｕｒｃｅ  ｅｌｅｍｅｎｔあたりの送信電力の最小値（絶対値）である。上記PＴＰＣ(max)、ＣＱＩaverage（min）、PＴＰＣ(min)は、外部インタフェース（ＩＦ）より設定される。【００８３】
また、ＴＰＣ  ｂｉｔの１  ＯＦＤＭシンボルあたりのｒｅｓｏｕｒｃｅ  ｅｌｅｍｅｎｔの数をｎTPCとし、当該サブフレームにおいて実際に送信されるＴＰＣ  ｂｉｔの数をKTPCとする。【００８４】
最終的なＴＰＣ  ｂｉｔの１  ｒｅｓｏｕｒｃｅ  ｅｌｅｍｅｎｔあたりの送信電力（絶対値、単位：W）PTPC（ｋ）は、以下の式（５）に基づいて算出される。【００８５】
PTPC（ｋ）＝PTPC,tmp(ｋ)/Ｍ      （５）
式（５）において、Ｍで割り算を行う理由は、式（１）の場合と同様である。次に、ＤＬ送信電力決定部２０８４は、Ｄｏｗｎｌｉｎｋ  Ｓｃｈｅｄｕｌｉｎｇ  Ｉｎｆｏｒｍａｔｉｏｎ及びＵｐｌｉｎｋ  Ｓｃｈｅｄｕｌｉｎｇ  Ｇｒａｎｔの送信電力を決定する。【００８６】
物理下りリンク制御チャネルに用いられるOFDMシンボル数Ｍは、ＭＡＣ処理部２０８２における下りリンクのユーザデータ（トランスポートチャネルとしてはDL-SCH）及び上りリンクのユーザデータ（トランスポートチャネルとしてはUL-SCH）のスケジューリングにおいて「当該サブフレームにおいて共有チャネルを用いた通信を行うユーザ装置として選択されたユーザ装置」のシステム帯域幅全体に関するCQIに基づいて以下のように算出される。【００８７】
下りリンクのユーザデータ（トランスポートチャネルとしてはDL-SCH）に関する「当該サブフレームにおいて共有チャネルを用いた通信を行うユーザ装置として選択されたユーザ装置」の数をK_DLとし、各ユーザ装置の番号をｋ＿ｄｌ（ｋ＿ｄｌ＝０，１，．．，Ｋ＿ＤＬ−１）で表記する。上りリンクのユーザデータ（トランスポートチャネルとしてはUL-SCH）に関する「当該サブフレームにおいて共有チャネルを用いた通信を行うユーザ装置として選択されたユーザ装置」の数をK_ULとし、各ユーザ装置の番号をｋ＿ｕｌ（ｋ＿ｕｌ＝０，１，．．，Ｋ＿ＵＬ−１）で表記する。【００８８】
ユーザ装置＃ｋ＿ｄｌのＤｏｗｎｌｉｎｋ  Ｓｃｈｅｄｕｌｉｎｇ  Ｉｎｆｏｒｍａｔｉｏｎに関する制御チャネル用ブロックの数をＮｋ＿ｄｌとし、ユーザ装置＃ｋ＿ｕｌのＵｐｌｉｎｋ  Ｓｃｈｅｄｕｌｉｎｇ  Ｇｒａｎｔに関する制御チャネル用ブロックの数をＮｋ＿ｕｌとする。ここで、制御チャネル用ブロックとは、複数のｒｅｓｏｕｒｃｅ  ｅｌｅｍｅｎｔの集合体であり、Ｄｏｗｎｌｉｎｋ  Ｓｃｈｅｄｕｌｉｎｇ  ＩｎｆｏｒｍａｔｉｏｎおよびＵｐｌｉｎｋ  Ｓｃｈｅｄｕｌｉｎｇ  Ｇｒａｎｔに割り当てられるリソースの単位である。前記制御チャネル用ブロックは、Ｃｏｎｔｒｏｌ  Ｃｈａｎｎｅｌ  Ｅｌｅｍｅｎｔ（ＣＣＥ）と呼ばれてもよい。あるいは、前記ＣＣＥをさらに細かい集合に分割した、Ｍｉｎｉ  ＣＣＥを、前記制御チャネル用ブロックと定義してもよい。例えば、前記Ｍｉｎｉ  ＣＣＥは、４個のリソースエレメントで構成されてもよい。
尚、Ｄｏｗｎｌｉｎｋ  Ｓｃｈｅｄｕｌｉｎｇ  Ｉｎｆｏｒｍａｔｉｏｎ及びＵｐｌｉｎｋ  Ｓｃｈｅｄｕｌｉｎｇ  Ｇｒａｎｔには、Ａｄａｐｔｉｖｅ  Ｍｏｄｕｌａｔｉｏｎ  ａｎｄ  Ｃｏｄｉｎｇ（ＡＭＣ）が適用されてもよい。例えば、Ｄｏｗｎｌｉｎｋ  Ｓｃｈｅｄｕｌｉｎｇ  ＩｎｆｏｒｍａｔｉｏｎおよびＵｐｌｉｎｋ  Ｓｃｈｅｄｕｌｉｎｇ  Ｇｒａｎｔに関して、２個のＭｏｄｕｌａｔｉｏｎ  ａｎｄ  Ｃｏｄｉｎｇ  Ｓｃｈｅｍｅ（ＭＣＳ）を設定し、１つ目のＭＣＳ（以下、ＭＣＳ番号０と呼ぶ）には、１個の制御チャネル用ブロックが割り当てられ、２つ目のＭＣＳ（以下、ＭＣＳ番号１と呼ぶ）には、２個の制御チャネル用ブロックが割り当てられる、といった制御を行うことができる。尚、上述したＭＣＳの数は２に限る必要はなく、３以上の数であってもよい。【００８９】
制御チャネル用ブロックについて、図６及び図７を参照して説明する。【００９０】
図６に示すように、Ｄｏｗｎｌｉｎｋ  Ｓｃｈｅｄｕｌｉｎｇ  Ｉｎｆｏｒｍａｔｉｏｎ及びＵｐｌｉｎｋ  Ｓｃｈｅｄｕｌｉｎｇ  Ｇｒａｎｔに割り当てられるサブキャリア(Sub-carrier)を、先頭のＯＦＤＭシンボルの、周波数の小さいSub-carrierから1列に並べる（結果としてNsub(all)個のSub-carrierが並ぶ）。すなわち、周波数方向（サブキャリア）と時間方向（ＯＦＤＭシンボル、ｍ＝０、１、２）からなる２次元のｒｅｓｏｕｒｃｅ  ｅｌｅｍｅｎｔを、１次元に並べる。そして、4個のサブキャリア（Sub-carrier）の集合を1個のＤＬ  Ｌ１／Ｌ２  ｓｙｍｂｏｌと定義し、かつ、NL1L2RB/4個のＤＬ  Ｌ１／Ｌ２  ｓｙｍｂｏｌの集合をGL1L2と定義する。この時、ＮＧ個のGL1L2が存在するとする。以下の説明では、NL1L2RB＝１２とし、ＮＧ＝２８とする。【００９１】
次に、図７に示すように、１  ＤＬ  Ｌ１／Ｌ２  ｓｙｍｂｏｌを拡散率4のWalsh系列で拡散を行い、１  ＤＬ  Ｌ１／Ｌ２  ｓｙｍｂｏｌ内の１  コードリソース（ｃｏｄｅ  ｒｅｓｏｕｒｃｅ）が１制御チャネル用ブロックに割り当てられる。各GL1L2において、上記と同様にリソースが割り当てられるため、１制御チャネル用ブロックは、28個のｒｅｓｏｕｒｃｅ  ｅｌｅｍｅｎｔ相当のリソースが割り当てられる。各制御チャネル用ブロックの番号は、図７に示すように、まず周波数方向に昇順に割り当てられ、その後、コード方向に昇順に割り当てられる。【００９２】
ここで、例えば、MCS番号0（１つ目のＭＣＳ）を用いた場合は、1つの制御チャネル用ブロックを使用し、MCS番号1（２つ目のＭＣＳ）を用いた場合は、2つの制御チャネル用ブロックを使用する。MCSはユーザ装置毎に設定される。MCS番号は、ＲＲＣメッセージ（ＲＲＣ  ｍｅｓｓａｇｅ）より設定される。ＱＰＳＫ変調を適用する場合、１個のｒｅｓｏｕｒｃｅ  ｅｌｅｍｅｎｔに対して、２ビットがマッピングされるため、ＭＣＳ番号０の場合の符号化ビット数は５６（２８×２[Ｂｉｔｓ／Ｒｅｓｏｕｒｃｅ  ｅｌｅｍｅｎｔ]＝５６ビット）、ＭＣＳ番号１の場合の符号化ビット数は１１２（２８×２[制御チャネル用ブロック]×２[Ｂｉｔｓ／Ｒｅｓｏｕｒｃｅ  ｅｌｅｍｅｎｔ]＝１１２ビット）となる。【００９３】
尚、上述した制御チャネル用ブロックの定義においては、Ｄｏｗｎｌｉｎｋ  Ｓｃｈｅｄｕｌｉｎｇ  ＩｎｆｏｒｍａｔｉｏｎおよびＵｐｌｉｎｋ  Ｓｃｈｅｄｕｌｉｎｇ  Ｇｒａｎｔは、コード多重と周波数多重とをハイブリッドした多重方法により、物理下りリンク制御チャネルに多重されている。しかしながら、以下に示す送信電力制御方法は、Ｄｏｗｎｌｉｎｋ  Ｓｃｈｅｄｕｌｉｎｇ  ＩｎｆｏｒｍａｔｉｏｎおよびＵｐｌｉｎｋ  Ｓｃｈｅｄｕｌｉｎｇ  Ｇｒａｎｔが、周波数多重により物理下りリンク制御チャネルに多重されている場合にも適用される。また、以下に示す送信電力制御方法は、Ｄｏｗｎｌｉｎｋ  Ｓｃｈｅｄｕｌｉｎｇ  ＩｎｆｏｒｍａｔｉｏｎおよびＵｐｌｉｎｋ  Ｓｃｈｅｄｕｌｉｎｇ  Ｇｒａｎｔが、コード多重により物理下りリンク制御チャネルに多重されている場合にも適用される。すなわち、上述した制御チャネル用ブロックの定義は、あくまで一例であり、上述した定義以外の方法で、制御チャネル用ブロックが定義されている場合にも、後述する送信電力制御方法は適用可能である。【００９４】
ユーザ装置＃ｋ＿ｄｌのＤｏｗｎｌｉｎｋ  Ｓｃｈｅｄｕｌｉｎｇ  Ｉｎｆｏｒｍａｔｉｏｎに関する送信電力をPDL-L1L2,tmp(k_dl)とし、また、i番目のMCSを用いたときのＤｏｗｎｌｉｎｋ  Ｓｃｈｅｄｕｌｉｎｇ  Ｉｎｆｏｒｍａｔｉｏｎの１ユーザ装置あたりのｒｅｓｏｕｒｃｅ  ｅｌｅｍｅｎｔの数をnDL-L1L2,tmp(i)とする。ユーザ装置  ＃ｋ＿ｕｌのＵＬ  Ｓｃｈｅｄｕｌｉｎｇ  Ｇｒａｎｔに関する送信電力をPUL-L1L2,tmp(k_ul)とし、また、i番目のMCSを用いたときのＵＬ  Ｓｃｈｅｄｕｌｉｎｇ  Ｇｒａｎｔの１ユーザ装置あたりのｒｅｓｏｕｒｃｅ  ｅｌｅｍｅｎｔの数をnUL-L1L2,tmp(i)とする。【００９５】
以下の判定式により、Ｍを決定する。
（判定式の開始）
まず、以下の式（６）により、Ｎａｌｌを算出する。式（６）により、当該サブフレームにおいて送信される、各Ｄｏｗｎｌｉｎｋ  Ｓｃｈｅｄｕｌｉｎｇ  Ｉｎｆｏｒｍａｔｉｏｎが使用するｒｅｓｏｕｒｃｅ  ｅｌｅｍｅｎｔの数の和と、各Ｕｐｌｉｎｋ  Ｓｃｈｅｄｕｌｉｎｇ  Ｇｒａｎｔが使用するｒｅｓｏｕｒｃｅ  ｅｌｅｍｅｎｔの数の和の合計値が算出される。【００９６】
【数３】
2008105310.tif 000008
次に、当該サブフレームにおいて、各Ｄｏｗｎｌｉｎｋ  Ｓｃｈｅｄｕｌｉｎｇ  Ｉｎｆｏｒｍａｔｉｏｎの送信電力、すなわち、ユーザ装置＃ｋ＿ｄｌのＤｏｗｎｌｉｎｋ  Ｓｃｈｅｄｕｌｉｎｇ  Ｉｎｆｏｒｍａｔｉｏｎに関する送信電力PDL-L1L2,tmp(k_dl) を算出する。【００９７】
k_dlがＲＡＣＨ  ｒｅｓｐｏｎｓｅである場合、すなわち、Ｄｏｗｎｌｉｎｋ  Ｓｃｈｅｄｕｌｉｎｇ  Ｉｎｆｏｒｍａｔｉｏｎに含まれるユーザ装置のＩＤがＲＡＣＨ  ｐｒｅａｍｂｌｅのRA-RNTIである場合、PDL-L1L2,tmp(k_dl)＝PL1L2,RACHresとなる。PL1L2,RACHresは、外部インタフェース（ＩＦ）より設定される固定値である。【００９８】
k_dlがＲＡＣＨ  ｒｅｓｐｏｎｓｅでなく、さらに、k_dlがPCHである場合、すなわち、Ｄｏｗｎｌｉｎｋ  Ｓｃｈｅｄｕｌｉｎｇ  Ｉｎｆｏｒｍａｔｉｏｎに含まれるユーザ装置のＩＤがページングインジケータ（Ｐａｇｉｎｇ  ｉｎｄｉｃａｔｏｒ）で指定されるユーザ装置のＧｒｏｕｐのＩＤである場合、PDL-L1L2,tmp(k_dl)＝PL1L2,PICHとなる。PL1L2,PICHは、外部インタフェース（ＩＦ）より設定される固定値である。【００９９】
尚、上述した共通チャネルであるＰＣＨ、ＲＡＣＨ  ｒｅｓｐｏｎｓｅに加えて、Ｄｙｎａｍｉｃ  ＢＣＨ（Ｄ−ＢＣＨ）が送信されてもよい。すなわち、k_dlで指定されるＩＤがＤ−ＢＣＨである場合、PDL-L1L2,tmp(k_dl)＝PL1L2,Ｄ−ＢCHとなる。PL1L2,Ｄ−ＢCHは、外部インタフェース（ＩＦ）より設定される固定値である。【０１００】
k_dlがＲＡＣＨ  ｒｅｓｐｏｎｓｅでなく、さらにk_dlがPCHでない場合、式（７）となる。すなわち、ユーザ装置＃ｋ＿ｄｌのＤｏｗｎｌｉｎｋ  Ｓｃｈｅｄｕｌｉｎｇ  Ｉｎｆｏｒｍａｔｉｏｎに関する送信電力PDL-L1L2,tmp(k_dl) は、当該Ｄｏｗｎｌｉｎｋ  Ｓｃｈｅｄｕｌｉｎｇ  Ｉｎｆｏｒｍａｔｉｏｎの送信先であるユーザ装置＃ｋ＿ｄｌから報告される、下りリンクのシステム帯域幅に関するＣＱＩ値ＣＱＩaverage,ＤＬ（ｋ＿ｄｌ）に基づいて算出される。尚、上記下りリンクのシステム帯域全体に関するCQI値ＣＱＩaverage,ＤL（ｋ＿ｄｌ）は、レイヤー１処理部２０８１より通知されるＣＱＩの情報に含まれる値である。【０１０１】
【数４】
2008105310.tif 000009
式（７）において、【０１０２】
【数５】
2008105310.tif 000010
はCQIが所定の値ＣＱＩaverage（min）のときのＤｏｗｎｌｉｎｋ  Ｓｃｈｅｄｕｌｉｎｇ  Ｉｎｆｏｒｍａｔｉｏｎの１  ｒｅｓｏｕｒｃｅ  ｅｌｅｍｅｎｔあたりの送信電力（絶対値）であり、PＤＬ−Ｌ１Ｌ２(min)はＤｏｗｎｌｉｎｋ  Ｓｃｈｅｄｕｌｉｎｇ  Ｉｎｆｏｒｍａｔｉｏｎの１  ｒｅｓｏｕｒｃｅ  ｅｌｅｍｅｎｔあたりの送信電力の最小値（絶対値）である。また、Δｋ＿ｄｌ（ＤＬ）はｋ_ｄｌ番目のＤｏｗｎｌｉｎｋ  Ｓｃｈｅｄｕｌｉｎｇ  Ｉｎｆｏｒｍａｔｉｏｎの送信先であるユーザ装置に関する、アウターループＴＰＣ（Ｏｕｔｅｒ−ｌｏｏｐ  ＴＰＣ）に基づく，送信電力補正ファクタである。Δｋ＿ｄｌ（ＤＬ）の詳細は後述する。上記（Ａ）、ＣＱＩaverage（min）、PＤＬ−Ｌ１Ｌ２(min)は、外部インタフェース（ＩＦ）より設定される。また、（Ａ）の上付き添え字内のＭＣＳＤＬ−Ｌ１Ｌ２（ｋ＿ｄｌ）は、ユーザ装置＃ｋ＿ｄｌに送信するＵＬ  Ｓｃｈｅｄｕｌｉｎｇ  ＧｒａｎｔのＭＣＳの番号を示すインデックスである。すなわち、各ＭＣＳに対して、（Ａ）が定義されることにより、各ＭＣＳに対して、適切な送信電力制御が可能となる。
尚、式（７）において、送信電力が最小値PＤＬ−Ｌ１Ｌ２(min)以下とならないように制御されているが、さらに、送信電力が最大値以上とならないように制御されていてもよい。【０１０３】
また、当該サブフレームにおいて、各Ｕｐｌｉｎｋ  Ｓｃｈｅｄｕｌｉｎｇ  Ｇｒａｎｔの送信電力、すなわち、ユーザ装置＃ｋ＿ｕｌのＵｐｌｉｎｋ  Ｓｃｈｅｄｕｌｉｎｇ  Ｇｒａｎｔに関する送信電力PDL-L1L2,tmp(k_ｕl) を算出する。【０１０４】
k_ｕlがランダムアクセス手順のＭｅｓｓａｇｅ３である場合、PUL-L1L2,tmp(k_ｕl)＝PL1L2,RACHmessage3となる。PL1L2,RACHmessage3は、外部インタフェース（ＩＦ）より設定される固定値である。【０１０５】
k_ulがランダムアクセス手順のＭｅｓｓａｇｅ３でない場合、式（８）となる。すなわち、ユーザ装置＃ｋ＿ｕｌのＵｐｌｉｎｋ  Ｓｃｈｅｄｕｌｉｎｇ  Ｇｒａｎｔに関する送信電力PUL-L1L2,tmp(k_ｕl) は、当該Ｕｐｌｉｎｋ  Ｓｃｈｅｄｕｌｉｎｇ  Ｇｒａｎｔの送信先であるユーザ装置＃ｋ＿ｕｌから報告される、下りリンクのシステム帯域幅に関するＣＱＩ値ＣＱＩaverage,ＵＬ（ｋ＿ｕｌ）に基づいて算出される。尚、上記下りリンクのシステム帯域全体に関するCQI値ＣＱＩaverage,UL（ｋ＿ｕｌ）は、レイヤー１処理部２０８１より通知されるＣＱＩの情報に含まれる値である。【０１０６】
【数６】
2008105310.tif 000011
式（８）において、【０１０７】
【数７】
2008105310.tif 000012
はCQIが所定の値ＣＱＩaverage（min）のときのＵｐｌｉｎｋ  Ｓｃｈｅｄｕｌｉｎｇ  Ｇｒａｎｔの１  ｒｅｓｏｕｒｃｅ  ｅｌｅｍｅｎｔあたりの送信電力（絶対値）であり、PＵＬ−Ｌ１Ｌ２(min)はＵｐｌｉｎｋ  Ｓｃｈｅｄｕｌｉｎｇ  Ｇｒａｎｔの１  ｒｅｓｏｕｒｃｅ  ｅｌｅｍｅｎｔあたりの送信電力の最小値（絶対値）である。また、Δｋ＿ｕｌ（ＵＬ）はｋ_ｕｌ番目のＵｐｌｉｎｋ  Ｓｃｈｅｄｕｌｉｎｇ  Ｇｒａｎｔの送信先であるユーザ装置に関する、アウターループＴＰＣ（Ｏｕｔｅｒ−ｌｏｏｐ  ＴＰＣ）に基づく，送信電力補正ファクタである。Δｋ＿ｕｌ（ＵＬ）の詳細は後述する。上記（Ｂ）、ＣＱＩaverage（min）、PＵＬ−Ｌ１Ｌ２(min) は、外部インタフェース（ＩＦ）より設定される。また、（Ｂ）の上付き添え字内のＭＣＳＤＬ−Ｌ１Ｌ２（ｋ＿ｕｌ）は、ユーザ装置＃ｋ＿ｄｌに送信するＵＬ  Ｓｃｈｅｄｕｌｉｎｇ  ＧｒａｎｔのＭＣＳの番号を示すインデックスである。すなわち、各ＭＣＳに対して、（Ｂ）が定義されることにより、各ＭＣＳに対して、適切な送信電力制御が可能となる。
尚、式（８）において、送信電力が最小値PＵＬ−Ｌ１Ｌ２(min)以下とならないように制御されているが、さらに、送信電力が最大値以上とならないように制御されていてもよい。【０１０８】
そして、次に、以下の式（９）を計算する。式（６）により、当該サブフレームにおいて送信される、各Ｄｏｗｎｌｉｎｋ  Ｓｃｈｅｄｕｌｉｎｇ  Ｉｎｆｏｒｍａｔｉｏｎが使用する送信電力の和と、各Ｕｐｌｉｎｋ  Ｓｃｈｅｄｕｌｉｎｇ  Ｇｒａｎｔが使用する送信電力の数の和の合計値が算出される。【０１０９】
【数８】
2008105310.tif 000013
ところで、上記Ｄｏｗｎｌｉｎｋ  Ｓｃｈｅｄｕｌｉｎｇ  Ｉｎｆｏｒｍａｔｉｏｎ及びＵｐｌｉｎｋ  Ｓｃｈｅｄｕｌｉｎｇ  Ｇｒａｎｔには、基地局装置２００が送信可能な最大の送信電力リソースの内、物理下りリンク制御チャネルの他の情報が使用する送信電力リソース以外の余りの送信電力リソースが割り当てられる。すなわち、物理下りリンク制御チャネルに用いられるOFDMシンボル数Ｍが１であると仮定した場合の、Ｄｏｗｎｌｉｎｋ  Ｓｃｈｅｄｕｌｉｎｇ  Ｉｎｆｏｒｍａｔｉｏｎ及びＵｐｌｉｎｋ  Ｓｃｈｅｄｕｌｉｎｇ  Ｇｒａｎｔに割り当て可能な送信電力ＰＤＬ／ＵＬ−Ｌ１Ｌ２（１）は、式（１０）により算出される：【０１１０】
【数９】
2008105310.tif 000014
また、物理下りリンク制御チャネルに用いられるOFDMシンボル数Ｍが２であると仮定した場合の、Ｄｏｗｎｌｉｎｋ  Ｓｃｈｅｄｕｌｉｎｇ  Ｉｎｆｏｒｍａｔｉｏｎ及びＵｐｌｉｎｋ  Ｓｃｈｅｄｕｌｉｎｇ  Ｇｒａｎｔに割り当て可能な送信電力ＰＤＬ／ＵＬ−Ｌ１Ｌ２（２）は、式（１１）により算出される：【０１１１】
【数１０】
2008105310.tif 000015
そして、上記で求めたＮａｌｌ及びＰａｌｌに基づき、物理下りリンク制御チャネルに用いられるOFDMシンボル数Ｍの値が決定される
PallがPDL/UL-L1L2(1)未満であり、かつNａｌｌがＮｔｈ１（ｊ）未満である場合、Ｍ＝１となる。【０１１２】
PallがPDL/UL-L1L2(l)以上又はNａｌｌがＮｔｈ１（ｊ）以上であり、PallがPDL/UL-L1L2(2)未満であり、かつNａｌｌがＮｔｈ2（ｊ）未満である場合、Ｍ＝２となる。【０１１３】
上記以外には、Ｍ＝３となる。【０１１４】
Nth1(ｊ)、Nth2(ｊ)の値は、システム帯域幅毎に外部インタフェース（ＩＦ）より設定される固定値である(ｊは，システム帯域幅を示すindexであり、例えば、ｊ＝０（５ＭＨｚ）、ｊ＝１（１０ＭＨｚ）、ｊ＝２（２０ＭＨｚ）とする)。【０１１５】
以上をまとめると、当該サブフレームにおいて送信される各Ｄｏｗｎｌｉｎｋ  Ｓｃｈｅｄｕｌｉｎｇ  Ｉｎｆｏｒｍａｔｉｏｎが使用するｒｅｓｏｕｒｃｅ  ｅｌｅｍｅｎｔの数と送信電力と、当該サブフレームにおいて送信される各Ｕｐｌｉｎｋ  Ｓｃｈｅｄｕｌｉｎｇ  Ｇｒａｎｔが使用するｒｅｓｏｕｒｃｅ  ｅｌｅｍｅｎｔの数と送信電力とを算出し、上記ｒｅｓｏｕｒｃｅ  ｅｌｅｍｅｎｔの数と送信電力の総数に基づいて、物理下りリンク制御チャネルに用いられるOFDMシンボル数Ｍの値を決定する。
（判定式の終了）
そして、最終的なユーザ装置#k_dlのＯＦＤＭシンボルｍにおける１  ｒｅｓｏｕｒｃｅ  ｅｌｅｍｅｎｔあたりの送信電力（絶対値、単位：W）PDL-L1L2,m(k_dl)、及びユーザ装置#k_ulのＯＦＤＭシンボルｍにおける１  ｒｅｓｏｕｒｃｅ  ｅｌｅｍｅｎｔあたりの送信電力（絶対値、単位：W）PUL-L1L2,m(k_ul)は以下のように算出される。【０１１６】
Ｍ＝１の場合について説明する。【０１１７】
以下のように、PDL-L1L2,m(k_dl)，PUL-L1L2,m(k_ul)を算出する。【０１１８】
PDL-L1L2,0(k_dl)＝PDL-L1L2,tmp(k_dl)
PUL-L1L2,0(k_ul)＝PUL-L1L2,tmp(k_ul)
Ｍ＝2の場合について説明する。【０１１９】
以下のように、PDL-L1L2,m(k_dl)，PUL-L1L2,m(k_ul)を算出する。【０１２０】
【数１１】
2008105310.tif 000016
ここで、【０１２１】
【数１２】
2008105310.tif 000017
【０１２２】
【数１３】
2008105310.tif 000018
は、ユーザ装置ｋ＿ｕｌの当該Ｕｐｌｉｎｋ  Ｓｃｈｅｄｕｌｉｎｇ  ＧｒａｎｔのＭＣＳがＭＣＳＤＬ−Ｌ１／Ｌ２（ｋ＿ｕｌ）である場合の、ｍ番目のＯＦＤＭシンボルにおける、当該Ｕｐｌｉｎｋ  Ｓｃｈｅｄｕｌｉｎｇ  Ｇｒａｎｔのｒｅｓｏｕｒｃｅ  ｅｌｅｍｅｎｔの数を示す。すなわち、式（１２）及び式（１３）は、各ＯＦＤＭシンボルにおけるＤｏｗｎｌｉｎｋ  Ｓｃｈｅｄｕｌｉｎｇ  ＩｎｆｏｒｍａｔｉｏｎおよびＵｐｌｉｎｋ  Ｓｃｈｅｄｕｌｉｎｇ  Ｇｒａｎｔのｒｅｓｏｕｒｃｅ  ｅｌｅｍｅｎｔの数に応じて、各ＯＦＤＭシンボルにおけるＤｏｗｎｌｉｎｋ  Ｓｃｈｅｄｕｌｉｎｇ  ＩｎｆｏｒｍａｔｉｏｎおよびＵｐｌｉｎｋ  Ｓｃｈｅｄｕｌｉｎｇ  Ｇｒａｎｔの送信電力を決定することを意味する。【０１２３】
あるいは、Ｍの値に関係なく、PDL-L1L2,m(k_dl)，PUL-L1L2,m(k_ul)を
PDL-L1L2,ｍ(k_dl)＝PDL-L1L2,tmp(k_dl)
PUL-L1L2,ｍ(k_ul)＝PUL-L1L2,tmp(k_ul)
として算出してもよい。ｍは、ＯＦＤＭシンボルのインデックスである。この場合、Ｍの値に関係なく、また、どのＯＦＤＭシンボルにマッピングされているかに関係なく、当該ユーザ装置k_dlまたはk_ulに関するＤｏｗｎｌｉｎｋ  Ｓｃｈｅｄｕｌｉｎｇ  ＩｎｆｏｒｍａｔｉｏｎおよびＵｐｌｉｎｋ  Ｓｃｈｅｄｕｌｉｎｇ  Ｇｒａｎｔの１リソースエレメントあたりの送信電力は一定となる。【０１２４】
なお、各ＯＦＤＭ  ｓｙｍｂｏｌにおいて、基地局装置２００の総送信電力が基地局装置２００の最大送信電力（定格電力）を超えた場合には、基地局装置２００の総送信電力が基地局装置２００の定格電力を超えないように、Ｄｏｗｎｌｉｎｋ  Ｓｃｈｅｄｕｌｉｎｇ  Ｉｎｆｏｒｍａｔｉｏｎ、Ｕｐｌｉｎｋ  Ｓｃｈｅｄｕｌｉｎｇ  Ｇｒａｎｔの送信電力PDL-L1L2,m(k_dl)，PUL-L1L2,m(k_ul)を圧縮してもよい。この場合、ＤＬ  ＲＳ，ダウンリンクＬ１／Ｌ２制御チャネルフォーマットインジケータ(またはPhysical Control Format Indicator Channel (PCFICH)とも呼ばれる)，Ｏｖｅｒｌｏａｄ  ｉｎｄｉｃａｔｏｒ，ＵＬ  ＡＣＫ／ＮＡＣＫ，ＴＰＣ  ｂｉｔの送信電力は圧縮しない。あるいは、Ｄｏｗｎｌｉｎｋ  Ｓｃｈｅｄｕｌｉｎｇ  Ｉｎｆｏｒｍａｔｉｏｎ、Ｕｐｌｉｎｋ  Ｓｃｈｅｄｕｌｉｎｇ  Ｇｒａｎｔだけでなく、全ての物理下りリンク制御チャネルにマッピングされる情報の送信電力を圧縮してもよい。この場合、ＤＬ  ＲＳの送信電力は圧縮しない。あるいは、Ｄｏｗｎｌｉｎｋ  Ｓｃｈｅｄｕｌｉｎｇ  Ｉｎｆｏｒｍａｔｉｏｎ、Ｕｐｌｉｎｋ  Ｓｃｈｅｄｕｌｉｎｇ  Ｇｒａｎｔだけでなく、ＤＬ  ＲＳと全ての物理下りリンク制御チャネルにマッピングされる情報の送信電力を圧縮してもよい。【０１２５】
また、上述したＤｏｗｎｌｉｎｋ  Ｓｃｈｅｄｕｌｉｎｇ  Ｉｎｆｏｒｍａｔｉｏｎ、Ｕｐｌｉｎｋ  Ｓｃｈｅｄｕｌｉｎｇ  Ｇｒａｎｔの送信電力の圧縮において、ＲＡＣＨ  ｒｅｓｐｏｎｓｅのためのＤｏｗｎｌｉｎｋ  Ｓｃｈｅｄｕｌｉｎｇ  ＩｎｆｏｒｍａｔｉｏｎやページングチャネルのためのＤｏｗｎｌｉｎｋ  Ｓｃｈｅｄｕｌｉｎｇ  Ｉｎｆｏｒｍａｔｉｏｎ、ランダムアクセス手順のＭｅｓｓａｇｅ３のためのＵｐｌｉｎｋ  Ｓｃｈｅｄｕｌｉｎｇ  Ｇｒａｎｔに関しては、上記圧縮を行わないとしてもよい。この場合、上記ＲＡＣＨ  ｒｅｓｐｏｎｓｅのためのＤｏｗｎｌｉｎｋ  Ｓｃｈｅｄｕｌｉｎｇ  ＩｎｆｏｒｍａｔｉｏｎやページングチャネルのためのＤｏｗｎｌｉｎｋ  Ｓｃｈｅｄｕｌｉｎｇ  Ｉｎｆｏｒｍａｔｉｏｎ、ランダムアクセス手順のＭｅｓｓａｇｅ３のためのＵｐｌｉｎｋ  Ｓｃｈｅｄｕｌｉｎｇ  Ｇｒａｎｔの通信品質は確保されることになる。【０１２６】
Ｍ＝３の場合について説明する。
以下の判定式により、ＭＡＣ処理部２０８２における下りリンクのユーザデータ及び上りリンクのユーザデータのスケジューリングにおいて「当該サブフレームにおいて共有チャネルを用いた通信を行うユーザ装置として選択されたユーザ装置」の数が適切か否かを判定する。【０１２７】
まず、Ｍ＝１（式１０）およびＭ＝２(式１１)の場合と同様に、物理下りリンク制御チャネルに用いられるOFDMシンボル数Ｍが３であると仮定した場合の、Ｄｏｗｎｌｉｎｋ  Ｓｃｈｅｄｕｌｉｎｇ  Ｉｎｆｏｒｍａｔｉｏｎ及びＵｐｌｉｎｋ  Ｓｃｈｅｄｕｌｉｎｇ  Ｇｒａｎｔに割り当て可能な送信電力ＰＤＬ／ＵＬ−Ｌ１Ｌ２（３）を算出する【０１２８】
【数１４】
2008105310.tif 000019
Pall>PDL/UL-L1L2(3)である場合、Pall≦PDL/UL-L1L2(3)となるまで、ＤＬ，ＵＬ，ＤＬ，ＵＬ，ＤＬ，・・・の順で，かつ，スケジューリング（Scheduling）係数に基づく優先度の低い順に、当該サブフレームにおいて共有チャネルを用いた通信を行うユーザ装置として選択されたユーザ装置に関して、当該サブフレームにおいて共有チャネルを用いた通信を行わないと決定する。すなわち、該ユーザ装置には、当該サブフレームにおいて、Ｄｏｗｎｌｉｎｋ  Ｓｃｈｅｄｕｌｉｎｇ  ＩｎｆｏｒｍａｔｉｏｎまたはＵｐｌｉｎｋ  Ｓｃｈｅｄｕｌｉｎｇ  Ｇｒａｎｔは送信されない。結果として、当該サブフレームにおいて、該ユーザ装置に対して、対応するＤＬ−ＳＣＨは送信されない。また、対応するサブフレームにおいて、該ユーザ装置は、ＵＬ−ＳＣＨを送信しない。そして、その後、残ったユーザ装置で、ＤＬ−ＳＣＨおよびＵＬ−ＳＣＨのリソース割り当てが行われる。ここでリソース割り当てとは、主に、周波数リソース、すなわち、リソースブロックの割り当てが行われる。尚、上記Ｐａｌｌは、式（９）により算出される値である。【０１２９】
ここで、上記スケジューリング係数とは、当該サブフレームにおいてＭＡＣ処理部２０８２におけるスケジューリング処理において計算される各ユーザ装置に対する優先度を示す係数、すなわち、評価メトリックのことを言う。例えば、スケジューリング係数は、送信するデータの優先度、ユーザ装置から報告される無線品質情報、再送回数、制御情報の有無、割り当て頻度、ユーザ装置に対する平均伝送速度、ユーザ装置に対する伝送速度の目標値、間欠受信処理を行うユーザ装置が間欠受信タイミングである場合に、該ユーザ装置に優先的に送信するための優先度等のうち、少なくとも１つにしたがって計算される。【０１３０】
また、ＤＬ送信電力決定部２０８４は、上述した、当該サブフレームにおいて共有チャネルを用いた通信を行うユーザ装置として選択されたユーザ装置に関して、当該サブフレームにおいて共有チャネルを用いた通信を行わないと決定する処理において、下りリンク及び上りリンクの再送データの優先度を高くするようにしてもよい。すなわち、再送データのためのＤｏｗｎｌｉｎｋ  Ｓｃｈｅｄｕｌｉｎｇ  Ｉｎｆｏｒｍａｔｉｏｎおよび再送データのためのＵｐｌｉｎｋ  Ｓｃｈｅｄｕｌｉｎｇ  Ｇｒａｎｔに対して、優先的に送信電力を割り当てることができる。また、ＤＬ送信電力決定部２０８４は、上述した、当該サブフレームにおいて共有チャネルを用いた通信を行うユーザ装置として選択されたユーザ装置に関して、当該サブフレームにおいて共有チャネルを用いた通信を行わないと決定する処理において、下りリンクにおけるランダムアクセス手順におけるメッセージ２又はページングチャネルのための優先度を高くするようにしてもよい。すなわち、ランダムアクセス手順におけるメッセージ２又はページングチャネルのためのＤｏｗｎｌｉｎｋ  Ｓｃｈｅｄｕｌｉｎｇ  Ｉｎｆｏｒｍａｔｉｏｎに対して、優先的に送信電力を割り当てることができる。尚、上述した、共通チャネルであるランダムアクセス手順におけるメッセージ２やページングチャネルに加えて、Ｄｙｎａｍｉｃ  ＢＣＨのための優先度を高くするようにしてもよい。【０１３１】
また、上述した例においては、当該サブフレームにおいて共有チャネルを用いた通信を行うユーザ装置として選択されたユーザ装置に関して、当該サブフレームにおいて共有チャネルを用いた通信を行わないと決定するという処理を行った後に、残ったユーザ装置で、ＤＬ−ＳＣＨおよびＵＬ−ＳＣＨのリソース割り当てが行われる場合を示した。しかしながら、代わりに、まず、当該サブフレームにおいて共有チャネルを用いた通信を行うユーザ装置として選択されたユーザ装置に関して、ＤＬ−ＳＣＨおよびＵＬ−ＳＣＨのリソース割り当てを行い、その後、当該サブフレームにおいて共有チャネルを用いた通信を行うユーザ装置として選択されたユーザ装置に関して、当該サブフレームにおいて共有チャネルを用いた通信を行わないと決定するという処理を行ってもよい。この場合、当該サブフレームにおいて共有チャネルを用いた通信を行わないと決定されたユーザ装置のためのＤＬ−ＳＣＨおよびＵＬ−ＳＣＨのリソースは使用されないが、代わりに、処理遅延を小さくできる。【０１３２】
さらには、上述した例においては、Ｍ＝３の場合に、Pall≦PDL/UL-L1L2(3)となるまで、当該サブフレームにおいて共有チャネルを用いた通信を行うユーザ装置として選択されたユーザ装置に関して、当該サブフレームにおいて共有チャネルを用いた通信を行わないと決定する場合を示したが、代わりに、Ｍ＝１およびＭ＝２と同様に、Pall>PDL/UL-L1L2(3)である場合に、Pall≦PDL/UL-L1L2(3)となるように、Ｄｏｗｎｌｉｎｋ  Ｓｃｈｅｄｕｌｉｎｇ  ＩｎｆｏｒｍａｔｉｏｎおよびＵｐｌｉｎｋ  Ｓｃｈｅｄｕｌｉｎｇ  Ｇｒａｎｔの送信電力の圧縮を行ってもよい。【０１３３】
最後に、以下のように、PDL-L1L2,m(k_dl)，PUL-L1L2,m(k_ul)の算出が行われる。【０１３４】
【数１５】
2008105310.tif 000020
あるいは、上述したように、Ｍの値に関係なく、PDL-L1L2,m(k_dl)，PUL-L1L2,m(k_ul)を
PDL-L1L2,ｍ(k_dl)＝PDL-L1L2,tmp(k_dl)
PUL-L1L2,ｍ(k_ul)＝PUL-L1L2,tmp(k_ul)
として算出してもよい。ｍは、ＯＦＤＭシンボルのインデックスである。この場合、Ｍの値に関係なく、また、どのＯＦＤＭシンボルにマッピングされているかに関係なく、当該ユーザ装置k_dlまたはk_ulに関するＤｏｗｎｌｉｎｋ  Ｓｃｈｅｄｕｌｉｎｇ  ＩｎｆｏｒｍａｔｉｏｎおよびＵｐｌｉｎｋ  Ｓｃｈｅｄｕｌｉｎｇ  Ｇｒａｎｔの１リソースエレメントあたりの送信電力は一定となる。【０１３５】
各ＯＦＤＭ  ｓｙｍｂｏｌにおいて、eNBの総送信電力がeNBの最大送信電力（定格電力）を超えた場合には、eNBの総送信電力がeNBの定格電力を超えないように、Ｄｏｗｎｌｉｎｋ  Ｓｃｈｅｄｕｌｉｎｇ  Ｉｎｆｏｒｍａｔｉｏｎ、Ｕｐｌｉｎｋ  Ｓｃｈｅｄｕｌｉｎｇ  Ｇｒａｎｔの送信電力PDL-L1L2,m(k_dl)，PUL-L1L2,m(k_ul)を圧縮することとする。この場合、ＤＬ  ＲＳ，ダウンリンクＬ１／Ｌ２制御チャネルフォーマットインジケータ(またはPhysical Control Format Indicator Channel (PCFICH)とも呼ばれる)，オーバーロード  インジケータ（Ｏｖｅｒｌｏａｄ  ｉｎｄｉｃａｔｏｒ），Ａｃｋｎｏｗｌｅｄｇｅｍｅｎｔ  ｉｎｆｏｒｍａｔｉｏｎ（ＵＬ  ＡＣＫ／ＮＡＣＫ），ＴＰＣ  ｂｉｔ，ＲＡＣＨ  ｒｅｓｐｏｎｓｅのためのＤｏｗｎｌｉｎｋ  Ｓｃｈｅｄｕｌｉｎｇ  Ｉｎｆｏｒｍａｔｉｏｎ、ページングチャネルのためのＤｏｗｎｌｉｎｋ  Ｓｃｈｅｄｕｌｉｎｇ  Ｉｎｆｏｒｍａｔｉｏｎ、ランダムアクセス手順のＭｅｓｓａｇｅ３のためのＵｐｌｉｎｋ  Ｓｃｈｅｄｕｌｉｎｇ  Ｇｒａｎｔの送信電力は圧縮しないこととする。【０１３６】
上述した実施例においては、物理下りリンク制御チャネルにおいて、ダウンリンクＬ１／Ｌ２制御チャネルフォーマットインジケータ(またはPhysical Control Format Indicator Channel (PCFICH)とも呼ばれる)が送信される場合について説明したが、ダウンリンクＬ１／Ｌ２制御チャネルフォーマットインジケータ(またはPhysical Control Format Indicator Channel (PCFICH)とも呼ばれる)が送信されない場合には、予め決定されるＭ＝１又は２または３の固定値として上述した制御が行われる。この場合、Ｍの値は、サブフレーム毎ではなく、より長い周期、例えば、１０ｍｓや１００ｍｓで制御される。この場合も、上述した（判定式の開始）から（判定式の終了）までの処理が適用される。但し、この場合は、送信電力の値やｒｅｓｏｕｒｃｅ  ｅｌｅｍｅｎｔの数として、瞬時の値、すなわち、サブフレーム毎の値ではなく、より長い周期、例えば、１０ｍｓや１００ｍｓで平均された値を用いてもよい。【０１３７】
ここで、式（７）におけるΔi(DL)は、i番目のＤｏｗｎｌｉｎｋ  Ｓｃｈｅｄｕｌｉｎｇ  Ｉｎｆｏｒｍａｔｉｏｎの送信先であるユーザ装置に関する、アウターループＴＰＣ（Ｏｕｔｅｒ−ｌｏｏｐ  ＴＰＣ）に基づく，送信電力補正ファクタであり、基地局装置２００のＤＬ送信電力決定部２０８４において、ダウンリンク共有チャネルに対するＨＡＲＱの肯定応答（ＨＡＲＱ−ＡＣＫ  ｆｏｒ  ＤＬ−ＳＣＨ）に対するＡＣＫ／ＮＡＣＫ／ＤＴＸ判定結果に基づいて、次式により制御される。この式によれば、制御チャネルとしての物理下りリンク制御チャネルにおけるＤｏｗｎｌｉｎｋ  Ｓｃｈｅｄｕｌｉｎｇ  Ｉｎｆｏｒｍａｔｉｏｎの通信品質（正常に受信されたか、または、正常に受信されなかったか）として、ＡＣＫ／ＮＡＣＫと判定するか、または、ＤＴＸと判定するかが使用され、上記物理下りリンク制御チャネルにおけるＤｏｗｎｌｉｎｋ  Ｓｃｈｅｄｕｌｉｎｇ  Ｉｎｆｏｒｍａｔｉｏｎのブロック誤り率が目標値ＢＬＥＲtarget(DL)になるように前記オフセットの値が制御される。【０１３８】
【数１６】
2008105310.tif 000021
具体的に説明する。【０１３９】
下りリンクの共有チャネルに対する送達確認情報、ＨＡＲＱ−ＡＣＫ  ｆｏｒ  ＤＬ−ＳＣＨは、上りリンクにおいて、ＬＴＥ用の上りリンク制御チャネルを用いて送信される。すなわち、図８に示す物理上りリンク共有チャネルと周波数多重されるチャネル（ＰＵＣＣＨ）あるいは物理上りリンク共有チャネルと時間多重されるチャネルにマッピングされて送信される。レイヤー１処理部２０８１において、ＨＡＲＱ−ＡＣＫ  ｆｏｒ  ＤＬ−ＳＣＨの3値判定(ＡＣＫ/ＮＡＣＫ/ＤＴＸ判定)が行われ、その判定結果がＤＬ送信電力決定部２０８４に通知される。【０１４０】
レイヤー１処理部２０８１におけるＨＡＲＱ−ＡＣＫ  ｆｏｒ  ＤＬ−ＳＣＨの３値判定（ＡＣＫ／ＮＡＣＫ／ＤＴＸ判定）をより詳細に説明する。レイヤー１処理部２０８１は、物理上りリンク共有チャネルと周波数多重されるチャネル（ＰＵＣＣＨ）あるいは物理上りリンク共有チャネルと時間多重されるチャネルにマッピングされるＨＡＲＱ−ＡＣＫ  ｆｏｒ  ＤＬ−ＳＣＨの無線品質、例えば、ＳＩＲを測定し、上記ＳＩＲが所定の閾値以下となるか否かを判定することにより、ＨＡＲＱ−ＡＣＫ  ｆｏｒ  ＤＬ−ＳＣＨの3値判定(ＡＣＫ/ＮＡＣＫ/ＤＴＸ判定)を行う。すなわち、上記ＨＡＲＱ−ＡＣＫ  ｆｏｒ  ＤＬ−ＳＣＨのＳＩＲが所定の閾値以下の場合にＤＴＸと判定し、上記ＨＡＲＱ−ＡＣＫ  ｆｏｒ  ＤＬ−ＳＣＨのＳＩＲが所定の閾値よりも大きい場合にＡＣＫまたはＮＡＣＫと判定する。尚、上述した例においては、ＳＩＲに基づいてＨＡＲＱ−ＡＣＫ  ｆｏｒ  ＤＬ−ＳＣＨの3値判定を行ったが、ＡＣＫ、ＮＡＣＫ、ＤＴＸのいずれかを判定できるのであれば、ＨＡＲＱ−ＡＣＫ  ｆｏｒ  ＤＬ−ＳＣＨの3値判定の方法は、上記方法以外の方法でもよい。【０１４１】
ここで、制御チャネルとしての物理下りリンク制御チャネルにおけるＤｏｗｎｌｉｎｋ  Ｓｃｈｅｄｕｌｉｎｇ  Ｉｎｆｏｒｍａｔｉｏｎが、移動局１００ｎにおいて正常に受信された場合、移動局１００ｎは、対応する下りリンクの共有チャネルの受信を行い、その復号結果、すなわち、送達確認情報（ＨＡＲＱ−ＡＣＫ  ｆｏｒ  ＤＬ−ＳＣＨ）を、所定のタイミングで、基地局装置２００に対して送信する。一方、制御チャネルとしての物理下りリンク制御チャネルにおけるＤｏｗｎｌｉｎｋ  Ｓｃｈｅｄｕｌｉｎｇ  Ｉｎｆｏｒｍａｔｉｏｎが、移動局１００ｎにおいて正常に受信されなかった場合、移動局１００ｎは、対応する下りリンクの共有チャネルが自分宛に送信されたと認識しないため、上記下りリンクの共有チャネルの復号を行わず、また、所定のタイミングで、上記下りリンクの共有チャネルの送達確認情報であるＨＡＲＱ−ＡＣＫ  ｆｏｒ  ＤＬ−ＳＣＨを送信しない。よって、上述した、制御チャネルとしての物理下りリンク制御チャネルにおけるＤｏｗｎｌｉｎｋ  Ｓｃｈｅｄｕｌｉｎｇ  Ｉｎｆｏｒｍａｔｉｏｎの通信品質（正常に受信されたか、または、正常に受信されなかったか）と、ＨＡＲＱ−ＡＣＫ  ｆｏｒ  ＤＬ−ＳＣＨの3値判定(ＡＣＫ/ＮＡＣＫ/ＤＴＸ判定)の判定結果の関係は以下のようになる：
「Ｄｏｗｎｌｉｎｋ  Ｓｃｈｅｄｕｌｉｎｇ  Ｉｎｆｏｒｍａｔｉｏｎが正常に受信された」＝「ＨＡＲＱ−ＡＣＫ  ｆｏｒ  ＤＬ−ＳＣＨの3値判定＝ＡＣＫ／ＮＡＣＫ」
「Ｄｏｗｎｌｉｎｋ  Ｓｃｈｅｄｕｌｉｎｇ  Ｉｎｆｏｒｍａｔｉｏｎが正常に受信されなかった」＝「ＨＡＲＱ−ＡＣＫ  ｆｏｒ  ＤＬ−ＳＣＨの3値判定＝ＤＴＸ」
すなわち、ＨＡＲＱ−ＡＣＫ  ｆｏｒ  ＤＬ−ＳＣＨの3値判定の結果から、Ｄｏｗｎｌｉｎｋ  Ｓｃｈｅｄｕｌｉｎｇ  Ｉｎｆｏｒｍａｔｉｏｎの通信品質を推定される。【０１４２】
尚、上述した物理下りリンク制御チャネルにおけるＤｏｗｎｌｉｎｋ  Ｓｃｈｅｄｕｌｉｎｇ  Ｉｎｆｏｒｍａｔｉｏｎのブロック誤り率の目標値ＢＬＥＲtarget(DL)は、下りリンクの共有チャネルの伝送速度、変調方式、送信フォーマット、符号化率、ＭＣＳのレベル、例えばＭＣＳの番号、ペイロードのサイズ（Ｐａｙｌｏａｄ  ｓｉｚｅ）、ユーザ装置のカテゴリ(UE  category)の少なくとも１つに基づいて決定されてもよい。【０１４３】
より具体的には、下りリンクの共有チャネルの伝送速度が大きい場合に、上記目標値ＢＬＥＲtarget(DL)を小さくし、下りリンクの共有チャネルの伝送速度が小さい場合に、上記目標値ＢＬＥＲtarget(DL)を大きくしてもよい。あるいは、下りリンクの共有チャネルの変調方式が１６ＱＡＭまたは６４ＱＡＭである場合に、上記目標値ＢＬＥＲtarget(DL)を小さくし、下りリンクの共有チャネルの変調方式がＱＰＳＫである場合に、上記目標値ＢＬＥＲtarget(DL)を大きくしてもよい。あるいは、下りリンクの共有チャネルの符号化率が大きい場合に、上記目標値ＢＬＥＲtarget(DL)を小さくし、下りリンクの共有チャネルの符号化率が小さい場合に、上記目標値ＢＬＥＲtarget(DL)を大きくしてもよい。あるいは、下りリンクの共有チャネルの送信フォーマットが高速スループットを実現する送信フォーマットである場合に、上記目標値ＢＬＥＲtarget(DL)を小さくし、下りリンクの共有チャネルの送信フォーマットが低速スループットしか実現しない場合に、上記目標値ＢＬＥＲtarget(DL)を大きくしてもよい。下りリンクの共有チャネルのＭＣＳ  Ｌｅｖｅｌが大きい場合に、上記目標値ＢＬＥＲtarget(DL)を小さくし、下りリンクの共有チャネルのＭＣＳ  Ｌｅｖｅｌが小さい場合に、上記目標値ＢＬＥＲtarget(DL)を大きくしてもよい。あるいは、当該移動局のUE  categoryが下りリンクの最大伝送速度の大きいUE  categoryである場合に、上記目標値ＢＬＥＲtarget(DL)を小さくし、当該移動局のUE  categoryが下りリンクの最大伝送速度の大きいUE categoryでない場合に、上記目標値ＢＬＥＲtarget(DL)を大きくしてもよい。【０１４４】
一般に、物理下りリンク制御チャネルにおけるＤｏｗｎｌｉｎｋ  Ｓｃｈｅｄｕｌｉｎｇ  Ｉｎｆｏｒｍａｔｉｏｎのブロック誤り率は、対応する下りリンクの共有チャネルの伝送速度が大きい場合に、その影響が大きくなる。逆に言えば、下りリンクの共有チャネルの伝送速度が小さい場合には、上記物理下りリンク制御チャネルにおけるＤｏｗｎｌｉｎｋ  Ｓｃｈｅｄｕｌｉｎｇ  Ｉｎｆｏｒｍａｔｉｏｎのブロック誤り率をある程度大きくしても、伝送速度への悪影響が小さい。よって、上述したように、高速スループットが実現できる場合に、上記目標値ＢＬＥＲtarget(DL)を大きくし、高速スループットが実現できない場合に、上記目標値ＢＬＥＲtarget(DL)を小さくすることにより、効率の良い、制御チャネルの伝送が可能となる。【０１４５】
あるいは、上述した例では、物理下りリンク制御チャネルにおけるＤｏｗｎｌｉｎｋ  Ｓｃｈｅｄｕｌｉｎｇ  Ｉｎｆｏｒｍａｔｉｏｎのブロック誤り率の目標値ＢＬＥＲtarget(DL)を、下りリンクの共有チャネルの伝送速度、変調方式、送信フォーマット、符号化率、ＭＣＳのレベル、例えばＭＣＳの番号、ペイロードのサイズ（Ｐａｙｌｏａｄ  ｓｉｚｅ）の少なくとも１つに基づいて決定したが、代わりに、物理下りリンク制御チャネルにおけるＤｏｗｎｌｉｎｋ  Ｓｃｈｅｄｕｌｉｎｇ  Ｉｎｆｏｒｍａｔｉｏｎのブロック誤り率の目標値ＢＬＥＲtarget(DL)を、物理下りリンク制御チャネルにおけるＤｏｗｎｌｉｎｋ  Ｓｃｈｅｄｕｌｉｎｇ  Ｉｎｆｏｒｍａｔｉｏｎの送信フォーマット、符号化率、ＭＣＳのレベル、例えばＭＣＳの番号、リソースエレメントの数、リソースエレメントグループの数に基づいて決定されてもよい。ここで、リソースエレメントとは、１ＯＦＤＭシンボルにおける１サブキャリアに相当する。また、リソースエレメントグループとは、複数のリソースエレメントから構成される。ＬＴＥのＤｏｗｎｌｉｎｋ  Ｓｃｈｅｄｕｌｉｎｇ  Ｉｎｆｏｒｍａｔｉｏｎは、複数のリソースエレメントグループ（ミニ制御チャネルエレメントとも呼ばれる）から構成され、下りリンクの無線品質に基づいて、上記リソースエレメントグループの数を変更することが可能である。尚、上述したリソースエレメントの数やリソースエレメントグループの数は、ＤＬ  Ｓｃｈｅｄｕｌｉｎｇ  Ｉｎｆｏｒｍａｔｉｏｎがマッピングされる物理チャネルのサイズに相当する。【０１４６】
より具体的には、あるいは、Ｄｏｗｎｌｉｎｋ  Ｓｃｈｅｄｕｌｉｎｇ  Ｉｎｆｏｒｍａｔｉｏｎの符号化率が大きい場合に、上記目標値ＢＬＥＲtarget(DL)を小さくし、Ｄｏｗｎｌｉｎｋ  Ｓｃｈｅｄｕｌｉｎｇ  Ｉｎｆｏｒｍａｔｉｏｎの符号化率が小さい場合に、上記目標値ＢＬＥＲtarget(DL)を大きくしてもよい。あるいは、Ｄｏｗｎｌｉｎｋ  Ｓｃｈｅｄｕｌｉｎｇ  ＩｎｆｏｒｍａｔｉｏｎのＭＣＳ  Ｌｅｖｅｌが大きい場合に、上記目標値ＢＬＥＲtarget(DL)を大きくし、Ｄｏｗｎｌｉｎｋ  Ｓｃｈｅｄｕｌｉｎｇ  ＩｎｆｏｒｍａｔｉｏｎのＭＣＳ  Ｌｅｖｅｌが小さい場合に、上記目標値ＢＬＥＲtarget(DL)を小さくしてもよい。ここで、前記ＭＣＳ  Ｌｅｖｅｌとは、例えば、ＰＤＣＣＨのフォーマットであってもよい。また、前記ＭＣＳ  Ｌｅｖｅｌが小さいほど、前記Ｄｏｗｎｌｉｎｋ  Ｓｃｈｅｄｕｌｉｎｇ  Ｉｎｆｏｒｍａｔｉｏｎの符号化率は小さいと定義する。あるいは、Ｄｏｗｎｌｉｎｋ  Ｓｃｈｅｄｕｌｉｎｇ  Ｉｎｆｏｒｍａｔｉｏｎのリソースエレメントの数またはリソースエレメントグループの数が大きい場合に、上記目標値ＢＬＥＲtarget(DL)を大きくし、Ｄｏｗｎｌｉｎｋ  Ｓｃｈｅｄｕｌｉｎｇ  Ｉｎｆｏｒｍａｔｉｏｎのリソースエレメントの数またはリソースエレメントグループの数が小さい場合に、上記目標値ＢＬＥＲtarget(DL)を小さくしてもよい。【０１４７】
この場合、物理下りリンク制御チャネルにおけるＤｏｗｎｌｉｎｋ  Ｓｃｈｅｄｕｌｉｎｇ  Ｉｎｆｏｒｍａｔｉｏｎのブロック誤り率の目標値ＢＬＥＲtarget(DL)を、下りリンクの共有チャネルの伝送速度、変調方式、送信フォーマット、符号化率、ＭＣＳのレベル、例えばＭＣＳの番号、ペイロードのサイズ（Ｐａｙｌｏａｄ  ｓｉｚｅ）の少なくとも１つに基づいて決定する場合に比べて、Ｄｏｗｎｌｉｎｋ  Ｓｃｈｅｄｕｌｉｎｇ  Ｉｎｆｏｒｍａｔｉｏｎそのものの情報に基づいて、ブロック誤り率の目標値ＢＬＥＲtarget(DL)を制御することが可能となるため、より処理が簡易になるという効果がある。【０１４８】
尚、上述した物理下りリンク制御チャネルにおけるＤｏｗｎｌｉｎｋ  Ｓｃｈｅｄｕｌｉｎｇ  Ｉｎｆｏｒｍａｔｉｏｎのブロック誤り率の目標値ＢＬＥＲtarget(DL)を、物理下りリンク制御チャネルにおけるＤｏｗｎｌｉｎｋ  Ｓｃｈｅｄｕｌｉｎｇ  Ｉｎｆｏｒｍａｔｉｏｎの送信フォーマット、符号化率、ＭＣＳのレベル、例えばＭＣＳの番号、リソースエレメントの数、リソースエレメントグループの数に基づいて決定する場合に、当該移動局のUE  categoryと関連させて決定してもよい。すなわち、当該移動局のUE  category毎に、上述した、ブロック誤り率の目標値ＢＬＥＲtarget(DL)の決定を行ってもよい。【０１４９】
尚、上述した例においては、ＨＡＲＱ−ＡＣＫ  ｆｏｒ  ＤＬ−ＳＣＨの3値判定の結果に基づいて、前記オフセット値が制御されたが、前記3値判定を行う場合には、式（１６）に記載の制御を行わないとしてもよい。例えば、前記ＨＡＲＱ−ＡＣＫ  ｆｏｒ  ＤＬ−ＳＣＨがＣＱＩと多重して送信される場合に、前記ＨＡＲＱ−ＡＣＫ  ｆｏｒ  ＤＬ−ＳＣＨの情報が、前記ＣＱＩが送信されているＤｅｍｏｄｕｌａｔｉｏｎ用のリファレンス信号に埋め込まれている場合に、ＮＡＣＫとＤＴＸが同様の送信方法で送信されるため、ＮＡＣＫとＤＴＸの区別がつかない。この場合には、3値判定を行うことができないため、前記式（１６）に記載の制御を行わないとしてもよい。【０１５０】
また、例えば式（８）におけるΔi(UL)は、i番目のＵｐｌｉｎｋ  Ｓｃｈｅｄｕｌｉｎｇ  Ｇｒａｎｔの送信先であるユーザ装置に関する、Ｏｕｔｅｒ-ｌｏｏｐ ＴＰＣに基づく、送信電力補正ファクタであり、基地局装置２００のＤＬ送信電力決定部２０８４において、ＵＬ-ＳＣＨ(初回送信のみ)のＰｏｗｅｒ判定結果に基づいて、次式により制御される。この式によれば、制御チャネルとしての物理下りリンク制御チャネルにおけるＵｐｌｉｎｋ  Ｓｃｈｅｄｕｌｉｎｇ  Ｇｒａｎｔの通信品質（正常に受信されたか、または、正常に受信されなかったか）として、上りリンクにおいて、実際にＵＬ−ＳＣＨが送信されたと判定するか、または、実際にＵＬ−ＳＣＨが送信されなかったと判定するかが使用され、上記物理下りリンク制御チャネルにおけるＵｐｌｉｎｋ  Ｓｃｈｅｄｕｌｉｎｇ  Ｇｒａｎｔのブロック誤り率が目標値ＢＬＥＲtarget(ＵL)になるように前記オフセットの値が制御される。【０１５１】
【数１７】
2008105310.tif 000022
具体的に説明する。【０１５２】
制御チャネルとしての物理下りリンク制御チャネルにおけるＵｐｌｉｎｋ  Ｓｃｈｅｄｕｌｉｎｇ  Ｇｒａｎｔが、移動局１００ｎにおいて正常に受信された場合、該移動局１００ｎは、所定のサブフレームにおいて対応する上りリンクの共有チャネル（ＵＬ−ＳＣＨ）を送信する。上記所定のサブフレームにおいて、レイヤー１処理部２０８１は、上記上りリンクの共有チャネル（ＵＬ−ＳＣＨ）の電力判定を行い、その判定結果をＤＬ送信電力決定部２０８４に通知する。【０１５３】
レイヤー１処理部２０８１における上りリンクの共有チャネル（ＵＬ−ＳＣＨ）の電力判定をより詳細に説明する。レイヤー１処理部２０８１は、上りリンクの共有チャネル（ＵＬ−ＳＣＨ）の無線品質、例えば、ＳＩＲを測定し、上記ＳＩＲが所定の閾値以下となるか否かを判定することにより、上りリンクの共有チャネル（ＵＬ−ＳＣＨ）の電力判定を行う。すなわち、上記上りリンクの共有チャネル（ＵＬ−ＳＣＨ）のＳＩＲが所定の閾値以下の場合に、実際にはＵＬ−ＳＣＨが送信されなかった、と判定し、上記上りリンクの共有チャネル（ＵＬ−ＳＣＨ）のＳＩＲが所定の閾値よりも大きい場合に、実際にＵＬ−ＳＣＨが送信されたと判定する。【０１５４】
ここで、制御チャネルとしての物理下りリンク制御チャネルにおけるＵｐｌｉｎｋ  Ｓｃｈｅｄｕｌｉｎｇ  Ｇｒａｎｔが、移動局１００ｎにおいて正常に受信された場合、移動局１００ｎは、対応する上りリンクの共有チャネルを、所定のタイミングで、基地局装置２００に対して送信する。一方、制御チャネルとしての物理下りリンク制御チャネルにおけるＵｐｌｉｎｋ  Ｓｃｈｅｄｕｌｉｎｇ  Ｇｒａｎｔが、移動局１００ｎにおいて正常に受信されなかった場合、移動局１００ｎは、対応する上りリンクの共有チャネルが自分宛に割り当てられたと認識しないため、所定のタイミングで、上記上りリンクの共有チャネルＵＬ−ＳＣＨを送信しない。よって、上述した、制御チャネルとしての物理下りリンク制御チャネルにおけるＵｐｌｉｎｋ  Ｓｃｈｅｄｕｌｉｎｇ  Ｇｒａｎｔの通信品質（正常に受信されたか、または、正常に受信されなかったか）と、上りリンクの共有チャネル（ＵＬ−ＳＣＨ）の電力判定の判定結果の関係は以下のようになる：
「Ｕｐｌｉｎｋ  Ｓｃｈｅｄｕｌｉｎｇ  Ｇｒａｎｔが正常に受信された」＝「上りリンクの共有チャネル（ＵＬ−ＳＣＨ）の電力判定結果：実際に上りリンクの共有チャネル（ＵＬ−ＳＣＨ）が送信された」
「Ｕｐｌｉｎｋ  Ｓｃｈｅｄｕｌｉｎｇ  Ｇｒａｎｔが正常に受信されなかった」＝「上りリンクの共有チャネル（ＵＬ−ＳＣＨ）の電力判定結果：実際には上りリンクの共有チャネル（ＵＬ−ＳＣＨ）が送信されなかった」
すなわち、上りリンクの共有チャネル（ＵＬ−ＳＣＨ）の電力判定の結果から、Ｕｐｌｉｎｋ  Ｓｃｈｅｄｕｌｉｎｇ  Ｇｒａｎｔの通信品質が推定される。【０１５５】
上述した例においては、初回送信のＵＬ−ＳＣＨのＰｏｗｅｒ判定結果に基づいて、オフセット値Δi(UL)の制御を行った（式（１７））。これは、初回送信のＵＬ−ＳＣＨに対してのみＵｐｌｉｎｋ  Ｓｃｈｅｄｕｌｉｎｇ  Ｇｒａｎｔが送信されることを想定した場合の処理である。よって、初回送信だけでなく、再送のＵＬ−ＳＣＨに対してもＵｐｌｉｎｋ  Ｓｃｈｅｄｕｌｉｎｇ  Ｇｒａｎｔが送信されるのであれば、その再送のＵＬ−ＳＣＨのＰｏｗｅｒ判定結果に基づいて、オフセット値Δi(UL)の制御を行ってもよい（式（１７））。【０１５６】
尚、上述したパラメータΔadj(DL)、BLERtarget(DL)、Δadj(UL)，BLERtarget(UL)は外部インタフェース（ＩＦ）より設定される固定値である。また、Δi(DL)、Δi(UL)は，UE毎に制御される値である。【０１５７】
尚、上述したパラメータΔadj(DL)、BLERtarget(DL)、Δadj(UL)、BLERtarget(UL)は外部インタフェース（ＩＦ）より設定される固定値である。また、Δi(DL)、Δi(UL)は、ＵＥ毎に制御される値である。【０１５８】
また、上述した例においては、Δi(DL)、Δi(UL)を別々に算出したが、Ｄｏｗｎｌｉｎｋ  Ｓｃｈｅｄｕｌｉｎｇ  Ｉｎｆｏｒｍａｔｉｏｎのビット数と、Ｕｐｌｉｎｋ  Ｓｃｈｅｄｕｌｉｎｇ  Ｇｒａｎｔのビット数が同程度であれば、Δi(DL)とΔi(UL)は同程度の値になると思われる。この場合には、Δi(DL)とΔi(UL)を共通の値として、算出することができる。すなわち、共通のオフセット値をΔi＝Δi(ＵL)＝Δi(DL)と定義し、Ｄｏｗｎｌｉｎｋ  Ｓｃｈｅｄｕｌｉｎｇ  Ｉｎｆｏｒｍａｔｉｏｎを送信した場合には、対応するＨＡＲＱ−ＡＣＫ  ｆｏｒ  ＤＬ−ＳＣＨのＡＣＫ／ＮＡＣＫ／ＤＴＸの三値判定に基づき、式（１８）を計算し、Ｕｐｌｉｎｋ  Ｓｃｈｅｄｕｌｉｎｇ  Ｇｒａｎｔを送信した場合には、対応する上りリンクの共有チャネル（ＵＬ−ＳＣＨ）のＰｏｗｅｒ判定結果に基づき、式（１９）を計算してもよい。【０１５９】
【数１８】
2008105310.tif 000023
【０１６０】
【数１９】
2008105310.tif 000024
尚、上述した物理下りリンク制御チャネルにおけるＵｐｌｉｎｋ  Ｓｃｈｅｄｕｌｉｎｇ  Ｇｒａｎｔのブロック誤り率の目標値ＢＬＥＲtarget(ＵL)は、上りリンクの共有チャネルの伝送速度、変調方式、送信フォーマット、符号化率、ＭＣＳのレベル、例えばＭＣＳの番号、ペイロードのサイズ（Ｐａｙｌｏａｄ  ｓｉｚｅ）、UE  categoryの少なくとも１つに基づいて決定されてもよい。【０１６１】
より具体的には、上りリンクの共有チャネルの伝送速度が大きい場合に、上記目標値ＢＬＥＲtarget(ＵL)を小さくし、上りリンクの共有チャネルの伝送速度が小さい場合に、上記目標値ＢＬＥＲtarget(ＵL)を大きくしてもよい。あるいは、上りリンクの共有チャネルの変調方式が１６ＱＡＭまたは６４ＱＡＭである場合に、上記目標値ＢＬＥＲtarget(ＵL)を小さくし、上りリンクの共有チャネルの変調方式がＱＰＳＫである場合に、上記目標値ＢＬＥＲtarget(ＵL)を大きくしてもよい。あるいは、上りリンクの共有チャネルの符号化率が大きい場合に、上記目標値ＢＬＥＲtarget(ＵL)を小さくし、上りリンクの共有チャネルの符号化率が小さい場合に、上記目標値ＢＬＥＲtarget(ＵL)を大きくしてもよい。あるいは、上りリンクの共有チャネルの送信フォーマットが高速スループットを実現する送信フォーマットである場合に、上記目標値ＢＬＥＲtarget(ＵL)を小さくし、上りリンクの共有チャネルの送信フォーマットが低速スループットしか実現しない場合に、上記目標値ＢＬＥＲtarget(ＵL)を大きくしてもよい。上りリンクの共有チャネルのＭＣＳ  Ｌｅｖｅｌが大きい場合に、上記目標値ＢＬＥＲtarget(ＵL)を小さくし、上りリンクの共有チャネルのＭＣＳ  Ｌｅｖｅｌが小さい場合に、上記目標値ＢＬＥＲtarget(ＵL)を大きくしてもよい。あるいは、当該移動局のUE  categoryが上りリンクの最大伝送速度の大きいUE  categoryである場合に、上記目標値ＢＬＥＲtarget(UL)を小さくし、当該移動局のUE  categoryが上りリンクの最大伝送速度の大きいUE  categoryでない場合に、上記目標値ＢＬＥＲtarget(UL)を大きくしてもよい。【０１６２】
一般に、物理下りリンク制御チャネルにおけるＵｐｌｉｎｋ  Ｓｃｈｅｄｕｌｉｎｇ  Ｇｒａｎｔのブロック誤り率は、対応する上りリンクの共有チャネルの伝送速度が大きい場合に、その影響が大きくなる。逆に言えば、上りリンクの共有チャネルの伝送速度が小さい場合には、上記物理下りリンク制御チャネルにおけるＵｐｌｉｎｋ  Ｓｃｈｅｄｕｌｉｎｇ  Ｇｒａｎｔのブロック誤り率をある程度大きくしても、伝送速度への悪影響が小さい。よって、上述したように、高速スループットが実現できる場合に、上記目標値ＢＬＥＲtarget(ＵL)を大きくし、高速スループットが実現できない場合に、上記目標値ＢＬＥＲtarget(ＵL)を小さくすることにより、効率の良い、制御チャネルの伝送が可能となる。【０１６３】
あるいは、上述した例では、物理下りリンク制御チャネルにおけるＵｐｌｎｋ  Ｓｃｈｅｄｕｌｉｎｇ  Ｇｒａｎｔのブロック誤り率の目標値ＢＬＥＲtarget(ＵL)を、上りリンクの共有チャネルの伝送速度、変調方式、送信フォーマット、符号化率、ＭＣＳのレベル、例えばＭＣＳの番号、ペイロードのサイズ（Ｐａｙｌｏａｄ  ｓｉｚｅ）の少なくとも１つに基づいて決定したが、代わりに、物理下りリンク制御チャネルにおけるＵｐｌｉｎｋ  Ｓｃｈｅｄｕｌｉｎｇ  Ｇｒａｎｔのブロック誤り率の目標値ＢＬＥＲtarget(ＵL)を、物理下りリンク制御チャネルにおけるＵｐｌｉｎｋ  Ｓｃｈｅｄｕｌｉｎｇ  Ｇｒａｎｔの送信フォーマット、符号化率、ＭＣＳのレベル、例えばＭＣＳの番号、リソースエレメントの数、リソースエレメントグループの数に基づいて決定されてもよい。ここで、リソースエレメントとは、１ＯＦＤＭシンボルにおける１サブキャリアに相当する。また、リソースエレメントグループとは、複数のリソースエレメントから構成される。ＬＴＥのＵｐｌｉｎｋ  Ｓｃｈｅｄｕｌｉｎｇ  Ｇｒａｎｔは、複数のリソースエレメントグループ（ミニ制御チャネルエレメントとも呼ばれる）から構成され、下りリンクの無線品質に基づいて、上記リソースエレメントグループの数を変更することが可能である。尚、上述したリソースエレメントの数やリソースエレメントグループの数は、ＵＬ  Ｓｃｈｅｄｕｌｉｎｇ  Ｇｒａｎｔがマッピングされる物理チャネルのサイズに相当する。【０１６４】
より具体的には、あるいは、Ｕｐｌｉｎｋ  Ｓｃｈｅｄｕｌｉｎｇ  Ｇｒａｎｔの符号化率が大きい場合に、上記目標値ＢＬＥＲtarget(ＵL)を小さくし、Ｕｐｌｉｎｋ  Ｓｃｈｅｄｕｌｉｎｇ  Ｇｒａｎｔの符号化率が小さい場合に、上記目標値ＢＬＥＲtarget(ＵL)を大きくしてもよい。あるいは、Ｕｐｌｉｎｋ  Ｓｃｈｅｄｕｌｉｎｇ  ＧｒａｎｔのＭＣＳ  Ｌｅｖｅｌが大きい場合に、上記目標値ＢＬＥＲtarget(ＵL)を大きくし、Ｕｐｌｉｎｋ  Ｓｃｈｅｄｕｌｉｎｇ  ＧｒａｎｔのＭＣＳ  Ｌｅｖｅｌが小さい場合に、上記目標値ＢＬＥＲtarget(ＵL)を小さくしてもよい。ここで、前記ＭＣＳ  Ｌｅｖｅｌとは、例えば、ＰＤＣＣＨのフォーマットであってもよい。また、前記ＭＣＳ  Ｌｅｖｅｌが小さいほど、前記Ｕｐｌｉｎｋ  Ｓｃｈｅｄｕｌｉｎｇ  Ｇｒａｎｔの符号化率は小さいと定義する。あるいは、Ｕｐｌｉｎｋ  Ｓｃｈｅｄｕｌｉｎｇ  Ｇｒａｎｔのリソースエレメントの数またはリソースエレメントグループの数が大きい場合に、上記目標値ＢＬＥＲtarget(ＵL)を大きくし、Ｕｐｌｉｎｋ  Ｓｃｈｅｄｕｌｉｎｇ  Ｇｒａｎｔのリソースエレメントの数またはリソースエレメントグループの数が小さい場合に、上記目標値ＢＬＥＲtarget(ＵL)を小さくしてもよい。【０１６５】
この場合、物理下りリンク制御チャネルにおけるＵｐｌｉｎｋ  Ｓｃｈｅｄｕｌｉｎｇ  Ｇｒａｎｔのブロック誤り率の目標値ＢＬＥＲtarget(ＵL)を、上りリンクの共有チャネルの伝送速度、変調方式、送信フォーマット、符号化率、ＭＣＳのレベル、例えばＭＣＳの番号、ペイロードのサイズ（Ｐａｙｌｏａｄ  ｓｉｚｅ）の少なくとも１つに基づいて決定する場合に比べて、Ｕｐｌｉｎｋ  Ｓｃｈｅｄｕｌｉｎｇ  Ｇｒａｎｔそのものの情報に基づいて、ブロック誤り率の目標値ＢＬＥＲtarget(ＵL)を制御することが可能となるため、より処理が簡易になるという効果がある。【０１６６】
尚、上述した、物理下りリンク制御チャネルにおけるＵｐｌｉｎｋ  Ｓｃｈｅｄｕｌｉｎｇ  Ｇｒａｎｔのブロック誤り率の目標値ＢＬＥＲtarget(ＵL)を、物理下りリンク制御チャネルにおけるＵｐｌｉｎｋ  Ｓｃｈｅｄｕｌｉｎｇ  Ｇｒａｎｔの送信フォーマット、符号化率、ＭＣＳのレベル、例えばＭＣＳの番号、リソースエレメントの数、リソースエレメントグループの数に基づいて決定する場合に、当該移動局のUE  categoryと関連させて決定してもよい。すなわち、当該移動局のUE  category毎に、上述した、ブロック誤り率の目標値ＢＬＥＲtarget(ＵL)の決定を行ってもよい。【０１６７】
図９を参照しながら、本実施例による基地局装置で使用される通信制御方法について説明する。図９は、下りリンクの共有チャネルを用いて通信を行うユーザ装置の識別情報や上記共有チャネルの送信フォーマットに関する情報、すなわち、Ｄｏｗｎｌｉｎｋ  Ｓｃｈｅｄｕｌｉｎｇ  Ｉｎｆｏｒｍａｔｉｏｎの送信電力制御方法に関するフローチャートである。【０１６８】
基地局装置２００におけるレイヤー１処理部１０８１は、上りリンクの制御チャネルにマッピングされた下りリンクの品質情報（ＣＱＩ）を受信する（ステップＳ９０２）。上記ＣＱＩは、例えば、システム帯域全体に関するＣＱＩである。【０１６９】
基地局装置２００におけるレイヤー１処理部１０８１は、下りリンクの共有チャネルに対する送達確認情報であるＨＡＲＱ−ＡＣＫ  ｆｏｒ  ＤＬ−ＳＣＨの３値判定を行い、上記送達確認情報が、ＡＣＫまたはＮＡＣＫなのか、あるいは、ＤＴＸなのかを判定する（ステップＳ９０４）。【０１７０】
次に、基地局装置２００におけるＤＬ送信電力決定部２０８４は、上記3値判定結果、すなわち、送達確認情報が、ＡＣＫまたはＮＡＣＫなのか、あるいは、ＤＴＸなのか、に基づいて、オフセット値Δi(DL)を制御する。具体的には、数（１６）に基づいて、上記オフセット値Δi(DL)を制御する（ステップＳ９０６）
そして、基地局装置２００におけるＤＬ送信電力決定部２０８４は、ステップＳ９０２で取得したＣＱＩと、ステップＳ９０６で取得したオフセット値Δi(DL)に基づいて、下りリンクの共有チャネルを用いて通信を行うユーザ装置の識別情報や上記共有チャネルの送信フォーマットに関する情報、すなわち、Ｄｏｗｎｌｉｎｋ  Ｓｃｈｅｄｕｌｉｎｇ  Ｉｎｆｏｒｍａｔｉｏｎの送信電力を決定する。具体的には、式（７）に基づいて、上記Ｄｏｗｎｌｉｎｋ  Ｓｃｈｅｄｕｌｉｎｇ  Ｉｎｆｏｒｍａｔｉｏｎの送信電力を決定する（ステップＳ９０８）。【０１７１】
尚、上記式（７）の算出式は、より簡易化した式として以下のように記載してもよい：
Ｐｏｗｅｒi＝ＰｏｗｅｒBASE＋ＣＱＩBASE−ＣＱＩi＋Δi(DL)
下付き添え字ｉ：移動局１００ｎのインデックス
Ｐｏｗｅｒi：Ｄｏｗｎｌｉｎｋ  Ｓｃｈｅｄｕｌｉｎｇ  Ｉｎｆｏｒｍａｔｉｏｎの送信電力
ＰｏｗｅｒBASE：基準となるＣＱＩにおけるＤｏｗｎｌｉｎｋ  Ｓｃｈｅｄｕｌｉｎｇ  Ｉｎｆｏｒｍａｔｉｏｎの送信電力
ＣＱＩｉ：ステップＳ９０２で取得したＣＱＩ
Δi(DL)：ステップＳ９０６で取得したオフセット値
尚、式（７）は真値で計算され、上記式はｄＢ値で計算されている。
次に、図１０を参照しながら、本実施例による基地局装置で使用される通信制御方法について説明する。図１０は、上りリンクの共有チャネルを用いて通信を行うユーザ装置の識別情報や上記共有チャネルの送信フォーマットに関する情報、すなわち、Ｕｐｌｉｎｋ  Ｓｃｈｅｄｕｌｉｎｇ  Ｇｒａｎｔの送信電力制御方法に関するフローチャートである。【０１７２】
基地局装置２００におけるレイヤー１処理部１０８１は、上りリンクの制御チャネルにマッピングされた下りリンクの品質情報（ＣＱＩ）を受信する（ステップＳ１００２）。上記ＣＱＩは、例えば、システム帯域全体に関するＣＱＩである。【０１７３】
基地局装置２００におけるレイヤー１処理部１０８１は、上りリンクの共有チャネルのＰｏｗｅｒ判定を行い、上記上りリンクの共有チャネルが実際に送信されたか否かを判定する（ステップＳ１００４）。【０１７４】
次に、基地局装置２００におけるＤＬ送信電力決定部２０８４は、上記上りリンクの共有チャネルのＰｏｗｅｒ判定結果、すなわち、送達確認情報が、上りリンクの共有チャネルが実際に送信されたか、あるいは、上りリンクの共有チャネルは実際には送信されなかったのか、に基づいて、オフセット値Δi(ＵL)を制御する。具体的には、式（１７）に基づいて、上記オフセット値Δi(ＵL)を制御する（ステップＳ１００６）。【０１７５】
そして、基地局装置２００におけるＤＬ送信電力決定部２０８４は、ステップＳ１００２で取得したＣＱＩと、ステップＳ１００６で取得したオフセット値Δi(ＵL)に基づいて、上りリンクの共有チャネルを用いて通信を行うユーザ装置の識別情報や上記共有チャネルの送信フォーマットに関する情報、すなわち、Ｕｐｌｉｎｋ  Ｓｃｈｅｄｕｌｉｎｇ  Ｇｒａｎｔの送信電力を決定する。具体的には、式（８）に基づいて、上記Ｕｐｌｉｎｋ  Ｓｃｈｅｄｕｌｉｎｇ  Ｇｒａｎｔの送信電力を決定する（ステップＳ１００８）。【０１７６】
尚、上記式（８）の算出式は、より簡易化した式として以下のように記載してもよい：
Ｐｏｗｅｒi＝ＰｏｗｅｒBASE＋ＣＱＩBASE−ＣＱＩi＋Δi(ＵL)
下付き添え字ｉ：移動局１００ｎのインデックス
Ｐｏｗｅｒi：Ｕｐｌｉｎｋ  Ｓｃｈｅｄｕｌｉｎｇ  Ｇｒａｎｔの送信電力
ＰｏｗｅｒBASE：基準となるＣＱＩにおけるＵｐｌｉｎｋ  Ｓｃｈｅｄｕｌｉｎｇ  Ｇｒａｎｔの送信電力
ＣＱＩｉ：ステップＳ１００２で取得したＣＱＩ
Δi(ＵL)：ステップＳ１００６で取得したオフセット値
尚、式（８）は真値で計算され、上記式はｄＢ値で計算されている。【０１７７】
上述した実施例においては、基地局装置の最大送信電力として、定格電力を用いているが、代わりに、定格電力よりも小さい固定値としてもよい。【０１７８】
本発明の実施例によれば、サブフレームにおいて共有チャネルを用いて通信を行うユーザ装置の識別情報や上記共有チャネルの送信フォーマットに関する情報、すなわち、Ｄｏｗｎｌｉｎｋ  Ｓｃｈｅｄｕｌｉｎｇ  ＩｎｆｏｒｍａｔｉｏｎおよびＵｐｌｉｎｋ  Ｓｃｈｅｄｕｌｉｎｇ  Ｇｒａｎｔの送信電力制御を、前記Ｄｏｗｎｌｉｎｋ  Ｓｃｈｅｄｕｌｉｎｇ  ＩｎｆｏｒｍａｔｉｏｎおよびＵｐｌｉｎｋ  Ｓｃｈｅｄｕｌｉｎｇ  Ｇｒａｎｔの誤りに基づいて、適切に行うことができる基地局装置及び通信制御方法を実現できる。【０１７９】
尚、上述した実施例においては、Ｅｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムにおける例を記載したが、本発明に係る基地局装置及び通信制御方法は、下りリンクにおいて直交周波数分割多重ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いる全てのシステムにおいて適用することが可能である。【０１８０】
説明の便宜上、発明の理解を促すため具体的な数値例を用いて説明されるが、特に断りのない限り、それらの数値は単なる一例に過ぎず適切な如何なる値が使用されてよい。【０１８１】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
本国際出願は、２００７年２月２８日に出願した日本国特許出願２００７−０５０８３９号、２００７年３月６日に出願した日本国特許出願２００７−０５６４４２号及び２００７年１１月３０日に出願した日本国特許出願２００７−３１１２３４号に基づく優先権を主張するものであり、２００７−０５０８３９号、２００７−０５６４４２号及び２００７−３１１２３４号の全内容を本国際出願に援用する。
【図１】
2008105310.tif 000025
【図２】
2008105310.tif 000026
【図３】
2008105310.tif 000027
【図４】
2008105310.tif 000028
【図５】
2008105310.tif 000029
【図６】
2008105310.tif 000030
【図７】
2008105310.tif 000031
【図８】
2008105310.tif 000032
【図９】
2008105310.tif 000033
【図１０】
2008105310.tif 000034
【国際調査報告】
2008105310.tif 000035
2008105310.tif 000036
2008105310.tif 000037
2008105310.tif 000038